(57)【要約】【課題】クロストークによる画質劣化を低減させる表示装置を提供する。【解決手段】表示装置１０は、それぞれ異なる色を表示する複数の副画素が第１方向に周期的に配列された副画素行が第１方向とは異なる第２方向に規則的に並び、副画素４９が第２方向に連なる副画素列に並行して設けられた信号線ＤＴＬ、及び副画素行の各行を順次選択する走査線ＳＣＬ、を備えた画像表示パネル３０を具備し、副画素行が走査線ＳＣＬによって選択されている期間内において、互いに極性が異なる２の信号が供給される１対の信号線ＳＣＬが、ｍ（ｍは、２以上の整数）のセレクタ信号によってそれぞれｎ（ｎは、１以上の整数）対ずつ選択され、走査線ＳＣＬによって副画素行の各行が順次選択される際に、セレクタ信号毎に選択されるｎ対の信号線ＤＴＬの電位変動の総和が略ゼロとなる。【選択図】図７
2018189778.tif 000002
【特許請求の範囲】
【請求項１】
それぞれ異なる色を表示する複数の副画素が第１方向に周期的に配列された副画素行が前記第１方向とは異なる第２方向に規則的に並び、
前記副画素が前記第２方向に連なる副画素列に並行して設けられた信号線、及び
前記副画素行の各行を順次選択する走査線、を備えた画像表示パネルを具備し、
前記副画素行が前記走査線によって選択されている期間内において、互いに極性が異なる２の信号が供給される１対の前記信号線が、ｍ（ｍは、２以上の整数）のセレクタ信号によってそれぞれｎ（ｎは、１以上の整数）対ずつ選択され、前記走査線によって前記副画素行の各行が順次選択される際に、前記セレクタ信号毎に選択されるｎ対の前記信号線の電位変動の総和が略ゼロとなる
表示装置。
【請求項２】
複数の前記副画素は、第１副画素、第２副画素、及び第３副画素を含み、
前記第１副画素、前記第２副画素、及び前記第３副画素は、前記副画素行において、前記第１副画素、前記第２副画素、前記第３副画素の順で並び、１行毎に前記第１方向に１副画素分ずれて配置され、
前記信号線は、前記副画素行の２行毎に、交互に異なる前記副画素列に属する前記副画素に接続され、
前記セレクタ信号は、第１セレクタ信号、第２セレクタ信号、及び第３セレクタ信号を含み、
前記信号は、互いに極性が異なる第１信号及び第２信号を含み、
前記第１セレクタ信号、前記第２セレクタ信号、又は前記第３セレクタ信号によって、前記第１信号又は前記第２信号の何れか１つがそれぞれ供給される１対の前記信号線が選択される
請求項１に記載の表示装置。
【請求項３】
複数の前記副画素は、第１副画素、第２副画素、及び第３副画素を含み、
前記第１副画素、前記第２副画素、前記第３副画素は、前記副画素行において、前記第１副画素、前記第２副画素、前記第３副画素の順で並び、偶数行と奇数行とで前記第１方向に１副画素分交互にずれて配置され、
前記信号線は、前記副画素行の１行毎に、交互に異なる前記副画素列に属する前記副画素に接続され、
前記セレクタ信号は、第１セレクタ信号、第２セレクタ信号、及び第３セレクタ信号を含み、
前記信号は、互いに極性が異なる第１信号及び第２信号を含み、
前記第１セレクタ信号、前記第２セレクタ信号、又は前記第３セレクタ信号によって、前記第１信号又は前記第２信号の何れか１つがそれぞれ供給される１対の前記信号線が選択される
請求項１に記載の表示装置。
【請求項４】
複数の前記副画素は、第１副画素、第２副画素、及び第３副画素を含み、
前記第１副画素、前記第２副画素、及び前記第３副画素は、前記副画素行において、前記第１副画素、前記第２副画素、前記第３副画素の順で並び、１行毎に前記第１方向に１副画素分ずれて配置され、
前記信号線は、前記副画素行の２行毎に、交互に異なる前記副画素列に属する前記副画素に接続され、
前記セレクタ信号は、第１セレクタ信号、第２セレクタ信号、及び第３セレクタ信号を含み、
前記信号は、互いに極性が異なる第１信号及び第２信号と、互いに極性が異なる第３信号及び第４信号と、を含み、
前記第１セレクタ信号、前記第２セレクタ信号、又は前記第３セレクタ信号によって、前記第１信号又は前記第２信号の何れか１つがそれぞれ供給される１対の前記信号線が選択され、前記第３信号又は前記第４信号の何れか１つがそれぞれ供給される１対の前記信号線が選択される
請求項１に記載の表示装置。
【請求項５】
複数の前記副画素は、第１副画素、第２副画素、及び第３副画素を含み、
前記第１副画素、前記第２副画素、前記第３副画素は、前記副画素行において、前記第１副画素、前記第２副画素、前記第３副画素の順で並び、偶数行と奇数行とで前記第１方向に１副画素分交互にずれて配置され、
前記信号線は、前記副画素行の１行毎に、交互に異なる前記副画素列に属する前記副画素に接続され、
前記セレクタ信号は、第１セレクタ信号、第２セレクタ信号、及び第３セレクタ信号を含み、
前記信号は、互い極性が異なる第１信号及び第２信号と、互いに極性が異なる第３信号及び第４信号と、互いに極性が異なる第５信号及び第６信号と、を含み、
前記第１セレクタ信号、前記第２セレクタ信号、又は前記第３セレクタ信号によって、前記第１信号又は前記第２信号の何れか１つがそれぞれ供給される１対の前記信号線が選択され、前記第３信号又は前記第４信号の何れか１つがそれぞれ供給される１対の前記信号線が選択され、前記第５信号又は前記第６信号の何れか１つがそれぞれ供給される１対の前記信号線が選択される
請求項１に記載の表示装置。
【請求項６】
複数の前記副画素は、第１副画素、第２副画素、第３副画素、及び第４副画素を含み、
前記第１副画素、前記第２副画素、前記第３副画素、前記第４副画素は、前記副画素行において、前記第１副画素、前記第２副画素、前記第３副画素、前記第１副画素、前記第２副画素、前記第４副画素の順で並び、偶数行と奇数行とで前記第１方向に３副画素分交互にずれて配置され、
前記信号線は、前記副画素行の１行毎に、交互に異なる前記副画素列に属する前記副画素に接続され、
前記セレクタ信号は、第１セレクタ信号、第２セレクタ信号、及び第３セレクタ信号を含み、
前記信号は、互いに極性が異なる第１信号及び第２信号と、互いに極性が異なる第３信号及び第４信号と、を含み、
前記第１セレクタ信号、前記第２セレクタ信号、又は前記第３セレクタ信号によって、前記第１信号又は前記第２信号の何れか１つがそれぞれ供給される１対の前記信号線が選択され、前記第３信号又は前記第４信号の何れか１つがそれぞれ供給される１対の前記信号線が選択される
請求項１に記載の表示装置。
【請求項７】
複数の前記副画素は、第１副画素、第２副画素、第３副画素、及び第４副画素を含み、
前記第１副画素、前記第２副画素、前記第３副画素、前記第４副画素は、前記副画素行において、前記第１副画素、前記第２副画素、前記第３副画素、前記第１副画素、前記第２副画素、前記第４副画素の順で並び、偶数行と奇数行とで前記第１方向に３副画素分交互にずれて配置され、
前記信号線は、前記副画素行の２行毎に、交互に異なる前記副画素列に属する前記副画素に接続され、
前記セレクタ信号は、第１セレクタ信号、第２セレクタ信号、及び第３セレクタ信号を含み、
前記信号は、互いに極性が異なる第１信号及び第２信号と、互いに極性が異なる第３信号及び第４信号と、を含み、
前記第１セレクタ信号、前記第２セレクタ信号、又は前記第３セレクタ信号によって、前記第１信号又は前記第２信号の何れか１つがそれぞれ供給される１対の前記信号線が選択され、前記第３信号又は前記第４信号の何れか１つがそれぞれ供給される１対の前記信号線が選択される
請求項１に記載の表示装置。
【請求項８】
複数の前記副画素は、第１副画素、第２副画素、第３副画素、及び第４副画素を含み、
前記第１副画素、前記第２副画素、前記第３副画素、前記第４副画素は、前記副画素行において、前記第１副画素、前記第２副画素、前記第３副画素、前記第４副画素の順で並び、偶数行と奇数行とで前記第１方向に２副画素分交互にずれて配置され、
前記信号線は、前記副画素行の１行毎に、交互に異なる前記副画素列に属する前記副画素に接続され、
前記セレクタ信号は、第１セレクタ信号、第２セレクタ信号、及び第３セレクタ信号を含み、
前記信号は、互いに極性が異なる第１信号及び第２信号と、互いに極性が異なる第３信号及び第４信号と、互いに極性が異なる第５信号及び第６信号と、互いに極性が異なる第７信号及び第８信号と、を含み、
前記第１セレクタ信号、前記第２セレクタ信号、又は前記第３セレクタ信号によって、前記第１信号又は前記第２信号の何れか１つがそれぞれ供給される１対の前記信号線が選択され、前記第３信号又は前記第４信号の何れか１つがそれぞれ供給される１対の前記信号線が選択され、前記第５信号又は前記第６信号の何れか１つがそれぞれ供給される１対の前記信号線が選択され、前記第７信号又は前記第８信号の何れか１つがそれぞれ供給される１対の前記信号線が選択される
請求項１に記載の表示装置。
【請求項９】
複数の前記副画素は、第１副画素、第２副画素、第３副画素、及び第４副画素を含み、
前記第１副画素、前記第２副画素、前記第３副画素、前記第４副画素は、前記副画素行において、前記第１副画素、前記第２副画素、前記第３副画素、前記第４副画素の順で並び、偶数行と奇数行とで前記第１方向に２副画素分交互にずれて配置され、
前記信号線は、前記副画素行の２行毎に、交互に異なる前記副画素列に属する前記副画素に接続され、
前記セレクタ信号は、第１セレクタ信号、第２セレクタ信号、及び第３セレクタ信号を含み、
前記信号は、互いに極性が異なる第１信号及び第２信号と、互いに極性が異なる第３信号及び第４信号と、互いに極性が異なる第５信号及び第６信号と、互いに極性が異なる第７信号及び第８信号と、を含み、
前記第１セレクタ信号、前記第２セレクタ信号、又は前記第３セレクタ信号によって、前記第１信号又は前記第２信号の何れか１つがそれぞれ供給される１対の前記信号線が選択され、前記第３信号又は前記第４信号の何れか１つがそれぞれ供給される１対の前記信号線が選択され、前記第５信号又は前記第６信号の何れか１つがそれぞれ供給される１対の前記信号線が選択され、前記第７信号又は前記第８信号の何れか１つがそれぞれ供給される１対の前記信号線が選択される
請求項１に記載の表示装置。
【発明の詳細な説明】
【技術分野】
【０００１】
本開示は、表示装置に関する。
【背景技術】
【０００２】
近年、携帯電話及び電子ペーパー等のモバイル機器向け等の表示装置の需要が高くなっている。表示装置では、１つの画素が複数の副画素を備え、当該複数の副画素がそれぞれ異なる色の光を出力し、当該副画素の表示のオン及びオフを切り換えることで、１つの画素で種々の色を表示させている。このような表示装置は、解像度及び輝度といった表示特性も年々向上してきている。
【０００３】
このような表示装置では、一般に、赤、緑、青の副画素、又はこれら赤、緑、青の副画素に白の副画素を加えて１画素を構成し、画素単位で制御することにより、明るさや色を表現する。一方、副画素の出力をそれぞれ独立に制御して表示駆動を行う技術がある（例えば、特許文献１参照）。
【先行技術文献】
【特許文献】
【０００４】
【特許文献１】特開２０１６−２０６２４３号公報
【発明の概要】
【発明が解決しようとする課題】
【０００５】
副画素の出力をそれぞれ独立に制御して表示駆動を行う表示装置では、副画素の色配列（以下、「画素配列」ともいう）を行単位で異ならせている場合がある。このような表示装置において画素駆動を行う際、画素の駆動順序によっては、例えば画像表示パネルの中央に単色のウインドウ画像を表示した際に、ウインドウ画像の両側の領域が明るく（又は暗く）なる等、クロストークと呼ばれる画質の低下（劣化）が発生する場合がある。
【０００６】
本発明は、上記の課題に鑑みてなされたもので、クロストークによる画質劣化を低減させる表示装置を提供することを目的とする。
【課題を解決するための手段】
【０００７】
本発明の一態様の表示装置は、それぞれ異なる色を表示する複数の副画素が第１方向に周期的に配列された副画素行が前記第１方向とは異なる第２方向に規則的に並び、前記副画素が前記第２方向に連なる副画素列に並行して設けられた信号線、及び前記副画素行の各行を順次選択する走査線、を備えた画像表示パネルを具備し、前記副画素行が前記走査線によって選択されている期間内において、互いに極性が異なる２の信号が供給される一対の前記信号線が、ｍ（ｍは、２以上の整数）のセレクタ信号によってそれぞれｎ（ｎは、１以上の整数）対ずつ選択され、前記走査線によって前記副画素行の各行が順次選択される際に、前記セレクタ信号毎に選択されるｎ対の前記信号線の電位変動の総和が略ゼロとなる。
【図面の簡単な説明】
【０００８】
【図１】図１は、実施形態に係る表示装置の構成の一例を示すブロック図である。
【図２】図２は、実施形態に係る表示装置の画像表示パネル及び画像表示パネル駆動回路の概念図である。
【図３】図３は、比較例に係る表示装置における画素配列及び信号出力回路の内部構成の一例を示す模式図である。
【図４】図４は、画像表示パネルの中央部に単色のウインドウ画像を表示した状態を示す模式図である。
【図５】図５は、図３に示す比較例において、図４に示すウインドウ表示が第２原色（緑）である場合のＮ−１行及びＮ行の状態を示す図である。
【図６】図６は、図３に示す比較例において、図４に示すウインドウ表示が第２原色（緑）である場合のＮ行及びＮ＋１行の状態を示す図である。
【図７】図７は、実施形態に係る表示装置における画素配列及び信号出力回路の内部構成の一例を示す模式図である。
【図８】図８は、図７に示す例において、図４に示すウインドウ表示が第２原色（緑）である場合のＮ−１行及びＮ行の状態を示す図である。
【図９】図９は、図７に示す例において、図４に示すウインドウ表示が第２原色（緑）である場合のＮ行及びＮ＋１行の状態を示す図である。
【図１０】図１０は、図３に示す比較例において、図４に示すウインドウ表示が第２原色（緑）である場合の各信号線の電位変動の一覧を示す図である。
【図１１】図１１は、図７に示す例において、図４に示すウインドウ表示が第２原色（緑）である場合の各信号線の電位変動の一覧を示す図である。
【図１２】図１２は、図７に示す例において、図４に示すウインドウ表示が第１原色（赤）である場合のＮ−１行及びＮ行の状態を示す図である。
【図１３】図１３は、図７に示す例において、図４に示すウインドウ表示が第１原色（赤）である場合のＮ行及びＮ＋１行の状態を示す図である。
【図１４】図１４は、図７に示す例において、図４に示すウインドウ表示が第１原色（赤）である場合の各信号線の電位変動の一覧を示す図である。
【図１５】図１５は、図７に示す例において、図４に示すウインドウ表示が第３原色（青）である場合のＮ−１行及びＮ行の状態を示す図である。
【図１６】図１６は、図７に示す例において、図４に示すウインドウ表示が第３原色（青）である場合の各信号線の電位変動の一覧を示す図である。
【図１７】図１７は、図７に示す例において、図４に示すウインドウ表示が黄色である場合のＮ−１行及びＮ行の状態を示す図である。
【図１８】図１８は、図７に示す例において、図４に示すウインドウ表示が黄色である場合の各信号線の電位変動の一覧を示す図である。
【図１９】図１９は、図７に示す例において、図４に示すウインドウ表示がシアンである場合のＮ−１行及びＮ行の状態を示す図である。
【図２０】図２０は、図７に示す例において、図４に示すウインドウ表示がシアンである場合の各信号線の電位変動の一覧を示す図である。
【図２１】図２１は、図７に示す例において、図４に示すウインドウ表示がマゼンタである場合のＮ−１行及びＮ行の状態を示す図である。
【図２２】図２２は、図７に示す例において、図４に示すウインドウ表示がマゼンタである場合の各信号線の電位変動の一覧を示す図である。
【図２３】図２３は、実施形態に係る表示装置における画素配列及び信号出力回路の内部構成の第１変形例を示す模式図である。
【図２４】図２４は、図２３に示す第１変形例において、図４に示すウインドウ表示が第１原色（赤）である場合のＮ−１行及びＮ行の状態を示す図である。
【図２５】図２５は、図２３に示す第１変形例において、図４に示すウインドウ表示が第１原色（赤）である場合の各信号線の電位変動の一覧を示す図である。
【図２６】図２６は、図２３に示す第１変形例において、図４に示すウインドウ表示が第２原色（緑）である場合のＮ−１行及びＮ行の状態を示す図である。
【図２７】図２７は、図２３に示す第１変形例において、図４に示すウインドウ表示が第２原色（緑）である場合の各信号線の電位変動の一覧を示す図である。
【図２８】図２８は、実施形態に係る表示装置における画素配列及び信号出力回路の内部構成の第２変形例を示す模式図である。
【図２９】図２９は、図２８に示す第２変形例において、図４に示すウインドウ表示が第１原色（赤）である場合のＮ−１行及びＮ行の状態を示す図である。
【図３０】図３０は、図２８に示す第２変形例において、図４に示すウインドウ表示が第１原色（赤）である場合のＮ行及びＮ＋１行の状態を示す図である。
【図３１】図３１は、図２８に示す第２変形例において、図４に示すウインドウ表示が第１原色（赤）である場合の各信号線の電位変動の一覧を示す図である。
【図３２】図３２は、図２８に示す第２変形例において、図４に示すウインドウ表示が第２原色（緑）である場合のＮ−１行及びＮ行の状態を示す図である。
【図３３】図３３は、図２８に示す第２変形例において、図４に示すウインドウ表示が第２原色（緑）である場合の各信号線の電位変動の一覧を示す図である。
【図３４】図３４は、図２８に示す第２変形例において、図４に示すウインドウ表示が第３原色（青）である場合のＮ−１行及びＮ行の状態を示す図である。
【図３５】図３５は、図２８に示す第２変形例において、図４に示すウインドウ表示が第３原色（青）である場合の各信号線の電位変動の一覧を示す図である。
【図３６】図３６は、実施形態に係る表示装置における画素配列及び信号出力回路の内部構成の第３変形例を示す模式図である。
【図３７】図３７は、図３６に示す第３変形例において、図４に示すウインドウ表示が第１原色（赤）である場合のＮ−１行及びＮ行の状態を示す図である。
【図３８】図３８は、図３６に示す第３変形例において、図４に示すウインドウ表示が第１原色（赤）である場合の各信号線の電位変動の一覧を示す図である。
【図３９】図３９は、実施形態に係る表示装置における画素配列及び信号出力回路の内部構成の第４変形例を示す模式図である。
【図４０】図４０は、図３９に示す第４変形例において、図４に示すウインドウ表示が第１原色（赤）である場合のＮ−１行及びＮ行の状態を示す図である。
【図４１】図４１は、図３９に示す第４変形例において、図４に示すウインドウ表示が第１原色（赤）である場合の各信号線の電位変動の一覧を示す図である。
【図４２】図４２は、図３９に示す第４変形例において、図４に示すウインドウ表示が第２原色（緑）である場合のＮ−１行及びＮ行の状態を示す図である。
【図４３】図４３は、図３９に示す第４変形例において、図４に示すウインドウ表示が第２原色（緑）である場合の各信号線の電位変動の一覧を示す図である。
【図４４】図４４は、図３９に示す第４変形例において、図４に示すウインドウ表示が第３原色（青）である場合のＮ−１行及びＮ行の状態を示す図である。
【図４５】図４５は、図３９に示す第４変形例において、図４に示すウインドウ表示が第３原色（青）である場合の各信号線の電位変動の一覧を示す図である。
【図４６】図４６は、実施形態に係る表示装置における画素配列及び信号出力回路の内部構成の第５変形例を示す模式図である。
【図４７】図４７は、図４６に示す第５変形例において、図４に示すウインドウ表示が第１原色（赤）である場合のＮ行及びＮ＋１行の状態を示す図である。
【図４８】図４８は、図４６に示す第５変形例において、図４に示すウインドウ表示が第１原色（赤）である場合の各信号線の電位変動の一覧を示す図である。
【図４９】図４９は、図４６に示す第５変形例において、図４に示すウインドウ表示が第２原色（緑）である場合のＮ行及びＮ＋１行の状態を示す図である。
【図５０】図５０は、図４６に示す第５変形例において、図４に示すウインドウ表示が第２原色（緑）である場合の各信号線の電位変動の一覧を示す図である。
【図５１】図５１は、図４６に示す第５変形例において、図４に示すウインドウ表示が第３原色（青）である場合のＮ行及びＮ＋１行の状態を示す図である。
【図５２】図５２は、図４６に示す第５変形例において、図４に示すウインドウ表示が第３原色（青）である場合の各信号線の電位変動の一覧を示す図である。
【図５３】図５３は、実施形態に係る表示装置における画素配列及び信号出力回路の内部構成の第６変形例を示す模式図である。
【図５４】図５４は、図５３に示す第６変形例において、図４に示すウインドウ表示が第１原色（赤）である場合のＮ−１行及びＮ行の状態を示す図である。
【図５５】図５５は、図５３に示す第６変形例において、図４に示すウインドウ表示が第１原色（赤）である場合の各信号線の電位変動の一覧を示す図である。
【図５６】図５６は、図５３に示す第６変形例において、図４に示すウインドウ表示が第２原色（緑）である場合のＮ−１行及びＮ行の状態を示す図である。
【図５７】図５７は、図５３に示す第６変形例において、図４に示すウインドウ表示が第２原色（緑）である場合の各信号線の電位変動の一覧を示す図である。
【図５８】図５８は、図５３に示す第６変形例において、図４に示すウインドウ表示が第３原色（青）である場合のＮ−１行及びＮ行の状態を示す図である。
【図５９】図５９は、図５３に示す第６変形例において、図４に示すウインドウ表示が第３原色（青）である場合の各信号線の電位変動の一覧を示す図である。
【図６０】図６０は、実施形態に係る表示装置における画素配列及び信号出力回路の内部構成の第７変形例を示す模式図である。
【図６１】図６１は、図６０に示す第７変形例において、図４に示すウインドウ表示が第１原色（赤）である場合のＮ−１行及びＮ行の状態を示す図である。
【図６２】図６２は、図６０に示す第７変形例において、図４に示すウインドウ表示が第１原色（赤）である場合のＮ行及びＮ＋１行の状態を示す図である。
【図６３】図６３は、図６０に示す第７変形例において、図４に示すウインドウ表示が第１原色（赤）である場合の各信号線の電位変動の一覧を示す図である。
【図６４】図６４は、図６０に示す第７変形例において、図４に示すウインドウ表示が第２原色（緑）である場合のＮ−１行及びＮ行の状態を示す図である。
【図６５】図６５は、図６０に示す第７変形例において、図４に示すウインドウ表示が第２原色（緑）である場合のＮ行及びＮ＋１行の状態を示す図である。
【図６６】図６６は、図６０に示す第７変形例において、図４に示すウインドウ表示が第２原色（緑）である場合の各信号線の電位変動の一覧を示す図である。
【図６７】図６７は、図６０に示す第７変形例において、図４に示すウインドウ表示が第３原色（青）である場合のＮ−１行及びＮ行の状態を示す図である。
【図６８】図６８は、図６０に示す第７変形例において、図４に示すウインドウ表示が第３原色（青）である場合のＮ行及びＮ＋１行の状態を示す図である。
【図６９】図６９は、図６０に示す第７変形例において、図４に示すウインドウ表示が第３原色（青）である場合の各信号線の電位変動の一覧を示す図である。
【発明を実施するための形態】
【０００９】
以下に、本発明の実施形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
図１は、実施形態に係る表示装置の構成の一例を示すブロック図である。図２は、実施形態に係る表示装置の画像表示パネル及び画像表示パネル駆動回路の概念図である。
【００１１】
図１に示すように、表示装置１０は、表示装置１０の各部に信号を送り、動作を制御する信号処理部２０と、信号処理部２０から出力された出力信号に基づいて画像を表示させる画像表示パネル３０と、画像表示パネル３０の駆動を制御する画像表示パネル駆動回路４０と、画像表示パネル３０を背面から照明する面状光源装置５０と、面状光源装置５０の駆動を制御する面状光源装置制御回路６０と、を備える。
【００１２】
信号処理部２０は、画像表示パネル３０及び面状光源装置５０の動作を制御する演算処理部である。信号処理部２０は、画像表示パネル３０を駆動するための画像表示パネル駆動回路４０、及び、面状光源装置５０を駆動するための面状光源装置制御回路６０と接続されている。信号処理部２０は、外部から入力される入力信号を処理して出力信号及び面状光源装置制御信号を生成する。つまり、信号処理部２０は、制御装置１１の画像出力部１２からの入力信号（ＲＧＢデータ）が入力され、入力信号に所定のデータ変換処理を加えて生成した出力信号を画像表示パネル３０に出力する。信号処理部２０は、生成した出力信号を画像表示パネル駆動回路４０に出力し、生成した面状光源装置制御信号を面状光源装置制御回路６０に出力する。
【００１３】
画像表示パネル３０は、画素４８が、Ｐ０×Ｑ０個（行方向にＰ０個、列方向にＱ０個）、２次元のマトリクス状に配列されている。図２に示す例において、行方向がＸ方向、列方向はＹ方向である。以下、Ｘ方向を「第１方向」、Ｙ方向を「第２方向」とも称する。
【００１４】
画素４８は、それぞれ異なる色を表示する複数の副画素４９を有する。画素４８は、例えば、第１原色（例えば、赤色）を表示する第１副画素、第２原色（例えば、緑色）を表示する第２副画素、第３原色（例えば、青色）を表示する第３副画素を有する構成であっても良いし、これら第１副画素、第２副画素、第３副画素に加えて、第４の色（具体的には白色）を表示する第４副画素を有する構成であっても良い。
【００１５】
なお、本実施形態では、副画素毎に独立して表示駆動を行うことを前提としている。したがって、本実施形態では、後述する信号処理部２０の映像処理において、それぞれ異なる色を表示する複数の副画素４９を便宜的に１画素単位として処理を行う。すなわち、信号処理部２０の映像処理に応じて、１画素単位の区分が変化する。このように、副画素毎に独立して表示駆動を行う例として、例えば、サブピクセルレンダリング処理がある。
【００１６】
本実施形態では、それぞれ異なる色を表示する複数の副画素４９がＸ方向（第１方向）に周期的に配列されて副画素行が構成される。そして、この副画素行がＹ方向（第２方向）に規則的に並び画素配列が構成される。画素配列については後述する。
【００１７】
表示装置１０は、より具体的には、透過型のカラー液晶表示装置である。画像表示パネル３０は、カラー液晶表示パネルであり、第１副画素、第２副画素、第３副画素にはそれぞれカラーフィルタが設けられている。また、第４副画素を有する構成では、第４副画素に透明な樹脂層が備えられていても良い。
【００１８】
画像表示パネル駆動回路４０は、本実施形態に係る制御装置であって、信号出力回路４１及び走査回路４２を備えている。画像表示パネル駆動回路４０は、信号出力回路４１によって映像信号を保持し、順次、画像表示パネル３０に出力する。信号出力回路４１は、信号線ＤＴＬによって画像表示パネル３０と電気的に接続されている。画像表示パネル駆動回路４０は、走査回路４２によって、画像表示パネル３０における副画素を選択し、副画素の動作（光透過率）を制御するためのスイッチング素子（例えば、薄膜トランジスタ（ＴＦＴ；Ｔｈｉｎ  Ｆｉｌｍ  Ｔｒａｎｓｉｓｔｏｒ））のオン及びオフを制御する。走査回路４２は、走査線ＳＣＬによって画像表示パネル３０と電気的に接続されている。
【００１９】
走査線ＳＣＬと信号線ＤＴＬとは、線状の金属配線であり、互いに略直交する向きで立体交差するように配置されている。
【００２０】
面状光源装置５０は、画像表示パネル３０の背面に配置され、画像表示パネル３０に向けて光を照射することで、画像表示パネル３０を照明する。面状光源装置５０は、画像表示パネル３０の全面に光を照射し、画像表示パネル３０を明るくする。面状光源装置制御回路６０は、面状光源装置５０から出力する光の光量等を制御する。具体的には、面状光源装置制御回路６０は、信号処理部２０から出力される面状光源装置制御信号に基づいて面状光源装置５０に供給する電圧又はｄｕｔｙ比を調整することで、画像表示パネル３０を照射する光の光量（光の強度）を制御する。
【００２１】
信号処理部２０は、入力信号を処理することで、各副画素４９における表示階調を決定するための出力信号を生成し、画像表示パネル駆動回路４０に出力する。なお、本実施形態では、上述したように、副画素毎に独立して表示駆動を行うことを前提としており、例えば、サブピクセルレンダリング処理を行う構成に適用可能である。
【００２２】
図３は、比較例に係る表示装置における画素配列及び信号出力回路の内部構成の一例を示す模式図である。図３に示す比較例では、第１原色（例えば、赤色）を表示する第１副画素、第２原色（例えば、緑色）を表示する第２副画素、第３原色（例えば、青色）を表示する第３副画素を有する構成例を示している。
【００２３】
図４は、画像表示パネルの中央部に単色のウインドウ画像を表示した状態を示す模式図である。図４に示す例では、画像表示パネル３０の表示領域３１の中央部に、単色のウインドウ画像３０Ｗが表示されている例を示している。
【００２４】
図３に示す比較例では、画像表示パネル３０の表示領域３１において、第１副画素（赤）、第２副画素（緑）、第３副画素（青）の順で並ぶ副画素行が１行毎に１副画素分ずれて配置された例を示している。
【００２５】
また、図３に示す比較例では、画像表示パネル３０の表示領域３１において、各副画素行の２行毎に、交互に異なる副画素列に属する副画素４９に各信号線ＤＴＬが接続された例を示している。具体的に、Ｎ−１行目（Ｎは、２以上の整数）及びＮ行目の副画素行では、各信号線ＤＴＬの図中右側の副画素列に属する副画素４９に各信号線ＤＴＬが接続され、Ｎ＋１行目及びＮ＋２行目の副画素行では、各信号線ＤＴＬの図中左側の副画素列に属する副画素４９に各信号線ＤＴＬが接続された例を示している。
【００２６】
また、図３に示す比較例では、信号出力回路４１において、互いに極性が異なる第１ソース信号Ｓ１又は第２ソース信号Ｓ２が供給される１対の信号線ＤＴＬが、第１セレクタ信号ＳＥＬ１、第２セレクタ信号ＳＥＬ２、第３セレクタ信号ＳＥＬ３によってそれぞれ１対ずつ選択される。第１ソース信号Ｓ１の電位は、例えば共通電極ＣＯＭＬの電位を基準電位とした場合、基準電位に対して高い電位（以下プラス（＋）極性という）である。第２ソース信号Ｓ２の電位は、基準電位に対して低い電位（以下マイナス（−）極性という）である。なお、共通電極ＣＯＭＬの電位に対する第１ソース信号Ｓ１の電位＋Ｖの大きさと、共通電極ＣＯＭＬの電位に対する第２ソース信号Ｓ２の電位−Ｖの大きさとは略等しい。
【００２７】
具体的に、信号線ＤＴＬ１には、第１セレクタ信号ＳＥＬ１によって選択されたプラス（＋）極性の第１ソース信号Ｓ１が供給される。
【００２８】
また、信号線ＤＴＬ２には、第１セレクタ信号ＳＥＬ１によって選択されたマイナス（−）極性の第２ソース信号Ｓ２が供給される。
【００２９】
また、信号線ＤＴＬ３には、第２セレクタ信号ＳＥＬ２によって選択されたプラス（＋）極性の第１ソース信号Ｓ１が供給される。
【００３０】
また、信号線ＤＴＬ４には、第２セレクタ信号ＳＥＬ２によって選択されたマイナス（−）極性の第２ソース信号Ｓ２が供給される。
【００３１】
また、信号線ＤＴＬ５には、第３セレクタ信号ＳＥＬ３によって選択されたプラス（＋）極性の第１ソース信号Ｓ１が供給される。
【００３２】
また、信号線ＤＴＬ６には、第３セレクタ信号ＳＥＬ３によって選択されたマイナス（−）極性の第２ソース信号Ｓ２が供給される。
【００３３】
上述のように構成された図３に示す比較例における各信号線ＤＴＬ１からＤＴＬ６の電位変動について説明する。図５は、図３に示す比較例において、図４に示すウインドウ表示が第２原色（緑）である場合のＮ−１行及びＮ行の状態を示す図である。
【００３４】
走査回路４２が走査線ＳＣＬのＧａｔｅＮ−１を選択したとき、第２副画素４９Ｇ１はプラス（＋）極性の電位を有している。一方、走査回路４２が走査線ＳＣＬのＧａｔｅＮを選択したとき、第１副画素４９Ｒ４は黒表示であるので０Ｖとされる。したがって、ＧａｔｅＮ−１からＧａｔｅＮに遷移したとき、信号線ＤＴＬ１の電圧は、マイナス（−）方向に遷移する。より具体的には、ＧａｔｅＮ−１からＧａｔｅＮに遷移したときの信号線ＤＴＬ１の電位変動は−Ｖである。
【００３５】
また、走査回路４２が走査線ＳＣＬのＧａｔｅＮ−１を選択したとき、第３副画素４９Ｂ１は黒表示であるので０Ｖとされる。一方、走査回路４２が走査線ＳＣＬのＧａｔｅＮを選択したとき、第２副画素４９Ｇ４はマイナス（−）極性の電位を有している。したがって、ＧａｔｅＮ−１からＧａｔｅＮに遷移したとき、信号線ＤＴＬ２の電圧は、マイナス（−）方向に遷移する。より具体的には、ＧａｔｅＮ−１からＧａｔｅＮに遷移したときの信号線ＤＴＬ２の電位変動は−Ｖである。
【００３６】
また、走査回路４２が走査線ＳＣＬのＧａｔｅＮ−１を選択したとき、第１副画素４９Ｒ２は黒表示であるので０Ｖとされる。一方、走査回路４２が走査線ＳＣＬのＧａｔｅＮを選択したとき、第３副画素４９Ｂ５は黒表示であるので０Ｖとされる。したがって、ＧａｔｅＮ−１からＧａｔｅＮに遷移したとき、信号線ＤＴＬ３の電圧は変化しない。より具体的には、ＧａｔｅＮ−１からＧａｔｅＮに遷移したときの信号線ＤＴＬ３の電位変動は略ゼロ（≒０）である。
【００３７】
また、走査回路４２が走査線ＳＣＬのＧａｔｅＮ−１を選択したとき、第２副画素４９Ｇ２はマイナス（−）極性の電位を有している。一方、走査回路４２が走査線ＳＣＬのＧａｔｅＮを選択したとき、第１副画素４９Ｒ５は黒表示であるので０Ｖとされる。したがって、ＧａｔｅＮ−１からＧａｔｅＮに遷移したとき、信号線ＤＴＬ４の電圧は、プラス（＋）方向に遷移する。より具体的には、ＧａｔｅＮ−１からＧａｔｅＮに遷移したときの信号線ＤＴＬ４の電位変動は＋Ｖである。
【００３８】
また、走査回路４２が走査線ＳＣＬのＧａｔｅＮ−１を選択したとき、第３副画素４９Ｂ２は黒表示であるので０Ｖとされる。一方、走査回路４２が走査線ＳＣＬのＧａｔｅＮを選択したとき、第２副画素４９Ｇ５はプラス（＋）極性の電位を有している。したがって、ＧａｔｅＮ−１からＧａｔｅＮに遷移したとき、信号線ＤＴＬ５の電圧は、プラス（＋）方向に遷移する。より具体的には、ＧａｔｅＮ−１からＧａｔｅＮに遷移したときの信号線ＤＴＬ５の電位変動は＋Ｖである。
【００３９】
また、走査回路４２が走査線ＳＣＬのＧａｔｅＮ−１を選択したとき、第１副画素４９Ｒ３は黒表示であるので０Ｖとされる。一方、走査回路４２が走査線ＳＣＬのＧａｔｅＮを選択したとき、第３副画素４９Ｂ６は黒表示であるので０Ｖとされる。したがって、ＧａｔｅＮ−１からＧａｔｅＮに遷移したとき、信号線ＤＴＬ６の電圧は変化しない。より具体的には、ＧａｔｅＮ−１からＧａｔｅＮに遷移したときの信号線ＤＴＬ６の電位変動は略ゼロ（≒０）である。
【００４０】
図６は、図３に示す比較例において、図４に示すウインドウ表示が第２原色（緑）である場合のＮ行及びＮ＋１行の状態を示す図である。
【００４１】
走査回路４２が走査線ＳＣＬのＧａｔｅＮを選択したとき、第１副画素４９Ｒ４は黒表示であるので０Ｖとされる。一方、走査回路４２が走査線ＳＣＬのＧａｔｅＮ＋１を選択したとき、第２副画素４９Ｇ７はプラス（＋）極性の電位を有している。したがって、ＧａｔｅＮからＧａｔｅＮ＋１に遷移したとき、信号線ＤＴＬ１の電圧は、プラス（＋）方向に遷移する。より具体的には、ＧａｔｅＮからＧａｔｅＮ＋１に遷移したときの信号線ＤＴＬ１の電位変動は＋Ｖである。
【００４２】
また、走査回路４２が走査線ＳＣＬのＧａｔｅＮを選択したとき、第２副画素４９Ｇ４はマイナス（−）極性の電位を有している。一方、走査回路４２が走査線ＳＣＬのＧａｔｅＮ＋１を選択したとき、第３副画素４９Ｂ７は黒表示であるので０Ｖとされる。したがって、ＧａｔｅＮからＧａｔｅＮ＋１に遷移したとき、信号線ＤＴＬ２の電圧は、プラス（＋）方向に遷移する。より具体的には、ＧａｔｅＮからＧａｔｅＮ＋１に遷移したときの信号線ＤＴＬ２の電位変動は＋Ｖである。
【００４３】
また、走査回路４２が走査線ＳＣＬのＧａｔｅＮを選択したとき、第３副画素４９Ｂ５は黒表示であるので０Ｖとされる。一方、走査回路４２が走査線ＳＣＬのＧａｔｅＮ＋１を選択したとき、第１副画素４９Ｒ７は黒表示であるので０Ｖとされる。したがって、ＧａｔｅＮからＧａｔｅＮ＋１に遷移したとき、信号線ＤＴＬ３の電圧は変化しない。より具体的には、ＧａｔｅＮからＧａｔｅＮ＋１に遷移したときの信号線ＤＴＬ３の電位変動は略ゼロ（≒０）である。
【００４４】
また、走査回路４２が走査線ＳＣＬのＧａｔｅＮを選択したとき、第１副画素４９Ｒ５は黒表示であるので０Ｖとされる。一方、走査回路４２が走査線ＳＣＬのＧａｔｅＮ＋１を選択したとき、第２副画素４９Ｇ８はマイナス（−）極性の電位を有している。したがって、ＧａｔｅＮからＧａｔｅＮ＋１に遷移したとき、信号線ＤＴＬ４の電圧は、マイナス（−）方向に遷移する。より具体的には、ＧａｔｅＮからＧａｔｅＮ＋１に遷移したときの信号線ＤＴＬ４の電位変動は−Ｖである。
【００４５】
また、走査回路４２が走査線ＳＣＬのＧａｔｅＮを選択したとき、第２副画素４９Ｇ５はプラス（＋）極性の電位を有している。一方、走査回路４２が走査線ＳＣＬのＧａｔｅＮ＋１を選択したとき、第３副画素４９Ｂ８は黒表示であるので０Ｖとされる。したがって、ＧａｔｅＮからＧａｔｅＮ＋１に遷移したとき、信号線ＤＴＬ５の電圧は、マイナス（−）方向に遷移する。より具体的には、ＧａｔｅＮからＧａｔｅＮ＋１に遷移したときの信号線ＤＴＬ５の電位変動は−Ｖである。
【００４６】
また、走査回路４２が走査線ＳＣＬのＧａｔｅＮを選択したとき、第３副画素４９Ｂ６は黒表示であるので０Ｖとされる。一方、走査回路４２が走査線ＳＣＬのＧａｔｅＮ＋１を選択したとき、第１副画素４９Ｒ８は黒表示であるので０Ｖとされる。したがって、ＧａｔｅＮからＧａｔｅＮ＋１に遷移したとき、信号線ＤＴＬ６の電圧は変化しない。より具体的には、ＧａｔｅＮからＧａｔｅＮ＋１に遷移したときの信号線ＤＴＬ６の電位変動は略ゼロ（≒０）である。
【００４７】
図７は、実施形態に係る表示装置における画素配列及び信号出力回路の内部構成の一例を示す模式図である。図７に示す例では、図３に示す比較例と同様に、第１副画素（赤）、第２副画素（緑）、第３副画素（青）の順で並ぶ副画素行が１行毎に１副画素分ずれて配置された例を示している。
【００４８】
また、図７に示す例では、図３に示す比較例と同様に、各副画素行の２行毎に、交互に異なる副画素列に属する副画素４９に各信号線ＤＴＬが接続された例を示している。具体的に、Ｎ−１行目及びＮ行目の副画素行では、各信号線ＤＴＬの図中右側の副画素列に属する副画素４９に各信号線ＤＴＬが接続され、Ｎ＋１行目及びＮ＋２行目の副画素行では、各信号線ＤＴＬの図中左側の副画素列に属する副画素４９に各信号線ＤＴＬが接続された例を示している。
【００４９】
また、図７に示す例では、図３に示す比較例と同様に、互いに極性が異なる第１ソース信号Ｓ１又は第２ソース信号Ｓ２が供給される１対の信号線ＤＴＬが、第１セレクタ信号ＳＥＬ１、第２セレクタ信号ＳＥＬ２、第３セレクタ信号ＳＥＬ３によってそれぞれ１対ずつ選択される。一方、図７に示す例では、第１セレクタ信号ＳＥＬ１、第２セレクタ信号ＳＥＬ２、第３セレクタ信号ＳＥＬ３によって選択される信号線の組み合わせが、図３に示す比較例とは異なっている。なお、共通電極ＣＯＭＬの電位に対する第１ソース信号Ｓ１の電位＋Ｖの大きさと、共通電極ＣＯＭＬの電位に対する第２ソース信号Ｓ２の電位−Ｖの大きさとは略等しい。
【００５０】
具体的に、信号線ＤＴＬ１には、第１セレクタ信号ＳＥＬ１によって選択されたプラス（＋）極性の第１ソース信号Ｓ１が供給される。
【００５１】
また、信号線ＤＴＬ２には、第２セレクタ信号ＳＥＬ２によって選択されたマイナス（−）極性の第２ソース信号Ｓ２が供給される。
【００５２】
また、信号線ＤＴＬ３には、第３セレクタ信号ＳＥＬ３によって選択されたプラス（＋）極性の第１ソース信号Ｓ１が供給される。
【００５３】
また、信号線ＤＴＬ４には、第１セレクタ信号ＳＥＬ１によって選択されたマイナス（−）極性の第２ソース信号Ｓ２が供給される。
【００５４】
また、信号線ＤＴＬ５には、第２セレクタ信号ＳＥＬ２によって選択されたプラス（＋）極性の第１ソース信号Ｓ１が供給される。
【００５５】
また、信号線ＤＴＬ６には、第３セレクタ信号ＳＥＬ３によって選択されたマイナス（−）極性の第２ソース信号Ｓ２が供給される。
【００５６】
上述のように構成された図７に示す例における各信号線ＤＴＬ１からＤＴＬ６の電位変動について説明する。図８は、図７に示す例において、図４に示すウインドウ表示３０Ｗが第２原色（緑）である場合のＮ−１行及びＮ行の状態を示す図である。
【００５７】
ＧａｔｅＮ−１が選択されているとき、第２副画素４９Ｇ１はプラス（＋）極性の電位を有している。一方、ＧａｔｅＮが選択されているとき、第１副画素４９Ｒ４は黒表示であるので０Ｖとされる。したがって、ＧａｔｅＮ−１からＧａｔｅＮに遷移したとき、信号線ＤＴＬ１の電圧は、マイナス（−）方向に遷移する。より具体的には、ＧａｔｅＮ−１からＧａｔｅＮに遷移したときの信号線ＤＴＬ１の電位変動は−Ｖである。
【００５８】
また、ＧａｔｅＮ−１が選択されているとき、第３副画素４９Ｂ１は黒表示であるので０Ｖとされる。一方、ＧａｔｅＮが選択されているとき、第２副画素４９Ｇ４はマイナス（−）極性の電位を有している。したがって、ＧａｔｅＮ−１からＧａｔｅＮに遷移したとき、信号線ＤＴＬ２の電圧は、マイナス（−）方向に遷移する。より具体的には、ＧａｔｅＮ−１からＧａｔｅＮに遷移したときの信号線ＤＴＬ２の電位変動は−Ｖである。
【００５９】
また、ＧａｔｅＮ−１が選択されているとき、第１副画素４９Ｒ２は黒表示であるので０Ｖとされる。一方、ＧａｔｅＮが選択されているとき、第３副画素４９Ｂ５は黒表示であるので０Ｖとされる。したがって、ＧａｔｅＮ−１からＧａｔｅＮに遷移したとき、信号線ＤＴＬ３の電圧は変化しない。より具体的には、ＧａｔｅＮ−１からＧａｔｅＮに遷移したときの信号線ＤＴＬ３の電位変動は略ゼロ（≒０）である。
【００６０】
また、ＧａｔｅＮ−１が選択されているとき、第２副画素４９Ｇ２はマイナス（−）極性の電位を有している。一方、ＧａｔｅＮが選択されているとき、第１副画素４９Ｒ５は黒表示であるので０Ｖとされる。したがって、ＧａｔｅＮ−１からＧａｔｅＮに遷移したとき、信号線ＤＴＬ４の電圧は、プラス（＋）方向に遷移する。より具体的には、ＧａｔｅＮ−１からＧａｔｅＮに遷移したときの信号線ＤＴＬ４の電位変動は＋Ｖである。
【００６１】
また、ＧａｔｅＮ−１が選択されているとき、第３副画素４９Ｂ２は黒表示であるので０Ｖとされる。一方、ＧａｔｅＮが選択されているとき、第２副画素４９Ｇ５はプラス（＋）極性の電位を有している。したがって、ＧａｔｅＮ−１からＧａｔｅＮに遷移したとき、信号線ＤＴＬ５の電圧は、プラス（＋）方向に遷移する。より具体的には、ＧａｔｅＮ−１からＧａｔｅＮに遷移したときの信号線ＤＴＬ５の電位変動は＋Ｖである。
【００６２】
また、ＧａｔｅＮ−１が選択されているとき、第１副画素４９Ｒ３は黒表示であるので０Ｖとされる。一方、ＧａｔｅＮが選択されているとき、第３副画素４９Ｂ６は黒表示であるので０Ｖとされる。したがって、ＧａｔｅＮ−１からＧａｔｅＮに遷移したとき、信号線ＤＴＬ６の電圧は変化しない。より具体的には、ＧａｔｅＮ−１からＧａｔｅＮに遷移したときの信号線ＤＴＬ６の電位変動は略ゼロ（≒０）である。
【００６３】
図９は、図７に示す例において、図４に示すウインドウ表示が第２原色（緑）である場合のＮ行及びＮ＋１行の状態を示す図である。
【００６４】
ＧａｔｅＮが選択されているとき、第１副画素４９Ｒ４は黒表示であるので０Ｖとされる。一方、ＧａｔｅＮ＋１が選択されているとき、第２副画素４９Ｇ７はプラス（＋）極性の電位を有している。したがって、ＧａｔｅＮからＧａｔｅＮ＋１に遷移したとき、信号線ＤＴＬ１の電圧は、プラス（＋）方向に遷移する。より具体的には、ＧａｔｅＮからＧａｔｅＮ＋１に遷移したときの信号線ＤＴＬ１の電位変動は＋Ｖである。
【００６５】
また、ＧａｔｅＮが選択されているとき、第２副画素４９Ｇ４はマイナス（−）極性の電位を有している。一方、ＧａｔｅＮ＋１が選択されているとき、第３副画素４９Ｂ７は黒表示であるので０Ｖとされる。したがって、ＧａｔｅＮからＧａｔｅＮ＋１に遷移したとき、信号線ＤＴＬ２の電圧は、プラス（＋）方向に遷移する。より具体的には、ＧａｔｅＮからＧａｔｅＮ＋１に遷移したときの信号線ＤＴＬ２の電位変動は＋Ｖである。
【００６６】
また、ＧａｔｅＮが選択されているとき、第３副画素４９Ｂ５は黒表示であるので０Ｖとされる。一方、ＧａｔｅＮ＋１が選択されているとき、第１副画素４９Ｒ７は黒表示であるので０Ｖとされる。したがって、ＧａｔｅＮからＧａｔｅＮ＋１に遷移したとき、信号線ＤＴＬ３の電圧は変化しない。より具体的には、ＧａｔｅＮからＧａｔｅＮ＋１に遷移したときの信号線ＤＴＬ３の電位変動は略ゼロ（≒０）である。
【００６７】
また、ＧａｔｅＮが選択されているとき、第１副画素４９Ｒ５は黒表示であるので０Ｖとされる。一方、ＧａｔｅＮ＋１が選択されているとき、第２副画素４９Ｇ８はマイナス（−）極性の電位を有している。したがって、ＧａｔｅＮからＧａｔｅＮ＋１に遷移したとき、信号線ＤＴＬ４の電圧は、マイナス（−）方向に遷移する。より具体的には、ＧａｔｅＮからＧａｔｅＮ＋１に遷移したときの信号線ＤＴＬ４の電位変動は−Ｖである。
【００６８】
また、ＧａｔｅＮが選択されているとき、第２副画素４９Ｇ５はプラス（＋）極性の電位を有している。一方、ＧａｔｅＮ＋１が選択されているとき、第３副画素４９Ｂ８は黒表示であるので０Ｖとされる。したがって、ＧａｔｅＮからＧａｔｅＮ＋１に遷移したとき、信号線ＤＴＬ５の電圧は、マイナス（−）方向に遷移する。より具体的には、ＧａｔｅＮからＧａｔｅＮ＋１に遷移したときの信号線ＤＴＬ５の電位変動は−Ｖである。
【００６９】
また、ＧａｔｅＮが選択されているとき、第３副画素４９Ｂ６は黒表示であるので０Ｖとされる。一方、ＧａｔｅＮ＋１が選択されているとき、第１副画素４９Ｒ８は黒表示であるので０Ｖとされる。したがって、ＧａｔｅＮからＧａｔｅＮ＋１に遷移したとき、信号線ＤＴＬ６の電圧は変化しない。より具体的には、ＧａｔｅＮからＧａｔｅＮ＋１に遷移したときの信号線ＤＴＬ６の電位変動は略ゼロ（≒０）である。
【００７０】
図１０は、図３に示す比較例における各信号線の電位変動の一覧を示す図である。図１１は、図７に示す例における各信号線の電位変動の一覧を示す図である。
【００７１】
図１０及び図１１に示す例では、走査線ＳＣＬの選択がＧａｔｅＮ−１からＧａｔｅＮに遷移したときの各信号線ＤＴＬの電位変動、及び、各セレクタ信号によって選択される各信号線ＤＴＬの電位変動の総和と、走査線ＳＣＬの選択がＧａｔｅＮからＧａｔｅＮ＋１に遷移したときの各信号線ＤＴＬの電位変動、及び、各セレクタ信号によって選択される各信号線ＤＴＬの電位変動の総和とを示している。
【００７２】
図３に示す比較例では、図１０に示すように、走査線ＳＣＬの選択がＧａｔｅＮ−１からＧａｔｅＮに遷移したとき、第１セレクタ信号ＳＥＬ１によって選択される信号線ＤＴＬ１の電位変動と信号線ＤＴＬ２の電位変動との総和が−２Ｖとなる。また、走査線ＳＣＬの選択がＧａｔｅＮ−１からＧａｔｅＮに遷移したとき、第２セレクタ信号ＳＥＬ２によって選択される信号線ＤＴＬ３の電位変動と信号線ＤＴＬ４の電位変動との総和が＋Ｖとなる。また、走査線ＳＣＬの選択がＧａｔｅＮ−１からＧａｔｅＮに遷移したとき、第３セレクタ信号ＳＥＬ３によって選択される信号線ＤＴＬ５の電位変動と信号線ＤＴＬ６の電位変動との総和が＋Ｖとなる。
【００７３】
また、図３に示す比較例では、図１０に示すように、走査線ＳＣＬの選択がＧａｔｅＮからＧａｔｅＮ＋１に遷移したとき、第１セレクタ信号ＳＥＬ１によって選択される信号線ＤＴＬ１の電位変動と信号線ＤＴＬ２の電位変動との総和が＋２Ｖとなる。また、走査線ＳＣＬの選択がＧａｔｅＮからＧａｔｅＮ＋１に遷移したとき、第２セレクタ信号ＳＥＬ２によって選択される信号線ＤＴＬ３の電位変動と信号線ＤＴＬ４の電位変動との総和が−Ｖとなる。また、走査線ＳＣＬの選択がＧａｔｅＮからＧａｔｅＮ＋１に遷移したとき、第３セレクタ信号ＳＥＬ３によって選択される信号線ＤＴＬ５の電位変動と信号線ＤＴＬ６の電位変動との総和が−Ｖとなる。
【００７４】
一方、図７に示す例では、図１１に示すように、走査線ＳＣＬの選択がＧａｔｅＮ−１からＧａｔｅＮに遷移したとき、及び、走査線ＳＣＬの選択がＧａｔｅＮからＧａｔｅＮ＋１に遷移したときの何れにおいても、第１セレクタ信号ＳＥＬ１によって選択される信号線ＤＴＬ１の電位変動と信号線ＤＴＬ４の電位変動との総和が略ゼロ（≒０）となる。また、第２セレクタ信号ＳＥＬ２によって選択される信号線ＤＴＬ２の電位変動と信号線ＤＴＬ５の電位変動との総和が略ゼロ（≒０）となる。また、第３セレクタ信号ＳＥＬ３によって選択される信号線ＤＴＬ３の電位変動と信号線ＤＴＬ６の電位変動との総和が略ゼロ（≒０）となる。
【００７５】
本発明者は、図３に示すように、画像表示パネル３０の表示領域３１の中央部に単色のウインドウ画像３０Ｗを表示した状態において、走査線ＳＣＬの選択が遷移したとき、各セレクタ信号によって選択される各信号線ＤＴＬの電位変動の総和が略ゼロ（≒０）にならない場合に、ウインドウ画像３０ＷのＸ方向（第１方向）の両側の領域３０Ｃが明るく（又は暗く）なることを知見した。
【００７６】
共通電極ＣＯＭＬには、信号線ＤＴＬとの間にカップリング容量Ｃが作用している。そうすると、走査線ＳＣＬの選択が遷移したとき、各セレクタ信号によって選択される各信号線ＤＴＬの電位変動の総和がプラス（＋）方向又はマイナス（−）方向に偏っていると、共通電極ＣＯＭＬと信号線ＤＴＬとの間に作用するカップリング容量Ｃによって、共通電極ＣＯＭＬの電位に変化が生じることになる。このため、図３に示す比較例のように、走査線ＳＣＬの選択が遷移したとき、各セレクタ信号によって選択される各信号線ＤＴＬの電位変動の総和が略ゼロ（≒０）にならない構成では、共通電極ＣＯＭＬの電位変化によってクロストークと呼ばれるＸ方向（第１方向）の画質の低下（劣化）が発生することが考えられる。
【００７７】
図７に示す実施形態に係る表示装置１０では、上述したように、走査線ＳＣＬの選択が遷移したとき、各セレクタ信号毎に選択される各信号線の電位変動の総和が何れも略ゼロ（≒０）となる。このように、各副画素列を順次選択する際に、各セレクタ信号毎に選択される各信号線の電位変動の総和が略ゼロ（≒０）となる構成とすれば、クロストークによる画質劣化を低減することができる。
【００７８】
なお、上述した例では、図４に示すウインドウ表示３０Ｗが第２原色（緑）である場合を例示したが、図４に示すウインドウ表示３０Ｗが他色である場合も同様である。
【００７９】
図１２は、図７に示す例において、図４に示すウインドウ表示が第１原色（赤）である場合のＮ−１行及びＮ行の状態を示す図である。
【００８０】
ＧａｔｅＮ−１が選択されているとき、第２副画素４９Ｇ１は黒表示であるので０Ｖとされる。一方、ＧａｔｅＮが選択されているとき、第１副画素４９Ｒ４はプラス（＋）極性の電位を有している。したがって、ＧａｔｅＮ−１からＧａｔｅＮに遷移したとき、信号線ＤＴＬ１の電圧は、プラス（＋）方向に遷移する。より具体的には、ＧａｔｅＮ−１からＧａｔｅＮに遷移したときの信号線ＤＴＬ１の電位変動は＋Ｖである。
【００８１】
また、ＧａｔｅＮ−１が選択されているとき、第３副画素４９Ｂ１は黒表示であるので０Ｖとされる。一方、ＧａｔｅＮが選択されているとき、第２副画素４９Ｇ４は黒表示であるので０Ｖとされる。したがって、ＧａｔｅＮ−１からＧａｔｅＮに遷移したとき、信号線ＤＴＬ２の電圧は変化しない。より具体的には、ＧａｔｅＮ−１からＧａｔｅＮに遷移したときの信号線ＤＴＬ２の電位変動は略ゼロ（≒０）である。
【００８２】
また、ＧａｔｅＮ−１が選択されているとき、第１副画素４９Ｒ２はプラス（＋）極性の電位を有している。一方、ＧａｔｅＮが選択されているとき、第３副画素４９Ｂ５は黒表示であるので０Ｖとされる。したがって、ＧａｔｅＮ−１からＧａｔｅＮに遷移したとき、信号線ＤＴＬ３の電圧はマイナス（−）方向に遷移する。より具体的には、ＧａｔｅＮ−１からＧａｔｅＮに遷移したときの信号線ＤＴＬ３の電位変動は−Ｖである。
【００８３】
また、ＧａｔｅＮ−１が選択されているとき、第２副画素４９Ｇ２は黒表示であるので０Ｖとされる。一方、ＧａｔｅＮが選択されているとき、第１副画素４９Ｒ５はマイナス（−）極性の電位を有している。したがって、ＧａｔｅＮ−１からＧａｔｅＮに遷移したとき、信号線ＤＴＬ４の電圧は、マイナス（−）方向に遷移する。より具体的には、ＧａｔｅＮ−１からＧａｔｅＮに遷移したときの信号線ＤＴＬ４の電位変動は−Ｖである。
【００８４】
また、ＧａｔｅＮ−１が選択されているとき、第３副画素４９Ｂ２は黒表示であるので０Ｖとされる。一方、ＧａｔｅＮが選択されているとき、第２副画素４９Ｇ５は黒表示であるので０Ｖとされる。したがって、ＧａｔｅＮ−１からＧａｔｅＮに遷移したとき、信号線ＤＴＬ５の電圧は変化しない。より具体的には、ＧａｔｅＮ−１からＧａｔｅＮに遷移したときの信号線ＤＴＬ５の電位変動は略ゼロ（≒０）である。
【００８５】
また、ＧａｔｅＮ−１が選択されているとき、第１副画素４９Ｒ３はマイナス（−）極性の電位を有している。一方、ＧａｔｅＮが選択されているとき、第３副画素４９Ｂ６は黒表示であるので０Ｖとされる。したがって、ＧａｔｅＮ−１からＧａｔｅＮに遷移したとき、信号線ＤＴＬ６の電圧は、プラス（＋）方向に遷移する。より具体的には、ＧａｔｅＮ−１からＧａｔｅＮに遷移したときの信号線ＤＴＬ６の電位変動は＋Ｖである。
【００８６】
図１３は、図７に示す例において、図４に示すウインドウ表示が第１原色（赤）である場合のＮ行及びＮ＋１行の状態を示す図である。
【００８７】
ＧａｔｅＮが選択されているとき、第１副画素４９Ｒ４はプラス（＋）極性の電位を有している。一方、ＧａｔｅＮ＋１が選択されているとき、第２副画素４９Ｇ７は黒表示であるので０Ｖとされる。したがって、ＧａｔｅＮからＧａｔｅＮ＋１に遷移したとき、信号線ＤＴＬ１の電圧は、マイナス（−）方向に遷移する。より具体的には、ＧａｔｅＮからＧａｔｅＮ＋１に遷移したときの信号線ＤＴＬ１の電位変動は−Ｖである。
【００８８】
また、ＧａｔｅＮが選択されているとき、第２副画素４９Ｇ４は黒表示であるので０Ｖとされる。一方、ＧａｔｅＮ＋１が選択されているとき、第３副画素４９Ｂ７は黒表示であるので０Ｖとされる。したがって、ＧａｔｅＮからＧａｔｅＮ＋１に遷移したとき、信号線ＤＴＬ２の電圧は変化しない。より具体的には、ＧａｔｅＮからＧａｔｅＮ＋１に遷移したときの信号線ＤＴＬ２の電位変動は略ゼロ（≒０）である。
【００８９】
また、ＧａｔｅＮが選択されているとき、第３副画素４９Ｂ５は黒表示であるので０Ｖとされる。一方、ＧａｔｅＮ＋１が選択されているとき、第１副画素４９Ｒ７はプラス（＋）極性の電位を有している。したがって、ＧａｔｅＮからＧａｔｅＮ＋１に遷移したとき、信号線ＤＴＬ３の電圧は、プラス（＋）方向に遷移する。より具体的には、ＧａｔｅＮからＧａｔｅＮ＋１に遷移したときの信号線ＤＴＬ３の電位変動は＋Ｖである。
【００９０】
また、ＧａｔｅＮが選択されているとき、第１副画素４９Ｒ５はマイナス（−）極性の電位を有している。一方、ＧａｔｅＮ＋１が選択されているとき、第２副画素４９Ｇ８は黒表示であるので０Ｖとされる。したがって、ＧａｔｅＮからＧａｔｅＮ＋１に遷移したとき、信号線ＤＴＬ４の電圧は、プラス（＋）方向に遷移する。より具体的には、ＧａｔｅＮからＧａｔｅＮ＋１に遷移したときの信号線ＤＴＬ４の電位変動は＋Ｖである。
【００９１】
また、ＧａｔｅＮが選択されているとき、第２副画素４９Ｇ５は黒表示であるので０Ｖとされる。一方、ＧａｔｅＮ＋１が選択されているとき、第３副画素４９Ｂ８は黒表示であるので０Ｖとされる。したがって、ＧａｔｅＮからＧａｔｅＮ＋１に遷移したとき、信号線ＤＴＬ５の電圧は変化しない。より具体的には、ＧａｔｅＮからＧａｔｅＮ＋１に遷移したときの信号線ＤＴＬ５の電位変動は略ゼロ（≒０）である。
【００９２】
また、ＧａｔｅＮが選択されているとき、第３副画素４９Ｂ６は黒表示であるので０Ｖとされる。一方、ＧａｔｅＮ＋１が選択されているとき、第１副画素４９Ｒ８はマイナス（−）極性の電位を有している。したがって、ＧａｔｅＮからＧａｔｅＮ＋１に遷移したとき、信号線ＤＴＬ６の電圧は、マイナス（−）方向に遷移する。より具体的には、ＧａｔｅＮからＧａｔｅＮ＋１に遷移したときの信号線ＤＴＬ６の電位変動は−Ｖである。
【００９３】
図１４は、図７に示す例において、図４に示すウインドウ表示が第１原色（赤）である場合の各信号線の電位変動の一覧を示す図である。
【００９４】
図１４に示すように、走査線ＳＣＬの選択がＧａｔｅＮ−１からＧａｔｅＮに遷移したとき、及び、走査線ＳＣＬの選択がＧａｔｅＮからＧａｔｅＮ＋１に遷移したときの何れにおいても、第１セレクタ信号ＳＥＬ１によって選択される信号線ＤＴＬ１の電位変動と信号線ＤＴＬ４の電位変動との総和が略ゼロ（≒０）となる。また、第２セレクタ信号ＳＥＬ２によって選択される信号線ＤＴＬ２の電位変動と信号線ＤＴＬ５の電位変動との総和が略ゼロ（≒０）となる。また、第３セレクタ信号ＳＥＬ３によって選択される信号線ＤＴＬ３の電位変動と信号線ＤＴＬ６の電位変動との総和が略ゼロ（≒０）となる。
【００９５】
図１５は、図７に示す例において、図４に示すウインドウ表示が第３原色（青）である場合のＮ−１行及びＮ行の状態を示す図である。
【００９６】
ＧａｔｅＮ−１が選択されているとき、第２副画素４９Ｇ１は黒表示であるので０Ｖとされる。一方、ＧａｔｅＮが選択されているとき、第１副画素４９Ｒ４は黒表示であるので０Ｖとされる。したがって、ＧａｔｅＮ−１からＧａｔｅＮに遷移したとき、信号線ＤＴＬ１の電圧は変化しない。より具体的には、ＧａｔｅＮ−１からＧａｔｅＮに遷移したときの信号線ＤＴＬ１の電位変動は略ゼロ（≒０）である。
【００９７】
また、ＧａｔｅＮ−１が選択されているとき、第３副画素４９Ｂ１はマイナス（−）極性の電位を有している。一方、ＧａｔｅＮが選択されているとき、第２副画素４９Ｇ４は黒表示であるので０Ｖとされる。したがって、ＧａｔｅＮ−１からＧａｔｅＮに遷移したとき、信号線ＤＴＬ２の電圧は、プラス（＋）方向に遷移する。より具体的には、ＧａｔｅＮ−１からＧａｔｅＮに遷移したときの信号線ＤＴＬ２の電位変動は＋Ｖである。
【００９８】
また、ＧａｔｅＮ−１が選択されているとき、第１副画素４９Ｒ２は黒表示であるので０Ｖとされる。一方、ＧａｔｅＮが選択されているとき、第３副画素４９Ｂ５はプラス（＋）極性の電位を有している。したがって、ＧａｔｅＮ−１からＧａｔｅＮに遷移したとき、信号線ＤＴＬ３の電圧は、プラス（＋）方向に遷移する。より具体的には、ＧａｔｅＮ−１からＧａｔｅＮに遷移したときの信号線ＤＴＬ３の電位変動は＋Ｖである。
【００９９】
また、ＧａｔｅＮ−１が選択されているとき、第２副画素４９Ｇ２は黒表示であるので０Ｖとされる。一方、ＧａｔｅＮが選択されているとき、第１副画素４９Ｒ５は黒表示であるので０Ｖとされる。したがって、ＧａｔｅＮ−１からＧａｔｅＮに遷移したとき、信号線ＤＴＬ４の電圧は変化しない。より具体的には、ＧａｔｅＮ−１からＧａｔｅＮに遷移したときの信号線ＤＴＬ４の電位変動は略ゼロ（≒０）である。
【０１００】
また、ＧａｔｅＮ−１が選択されているとき、第３副画素４９Ｂ２はプラス（＋）極性の電位を有している。一方、ＧａｔｅＮが選択されているとき、第２副画素４９Ｇ５は黒表示であるので０Ｖとされる。したがって、ＧａｔｅＮ−１からＧａｔｅＮに遷移したとき、信号線ＤＴＬ５の電圧は、マイナス（−）方向に遷移する。より具体的には、ＧａｔｅＮ−１からＧａｔｅＮに遷移したときの信号線ＤＴＬ５の電位変動は−Ｖである。
【０１０１】
また、ＧａｔｅＮ−１が選択されているとき、第１副画素４９Ｒ３は黒表示であるので０Ｖとされる。一方、ＧａｔｅＮが選択されているとき、第３副画素４９Ｂ６はマイナス（−）極性の電位を有している。したがって、ＧａｔｅＮ−１からＧａｔｅＮに遷移したとき、信号線ＤＴＬ６の電圧は、マイナス（−）方向に遷移する。より具体的には、ＧａｔｅＮ−１からＧａｔｅＮに遷移したときの信号線ＤＴＬ６の電位変動は−Ｖである。
【０１０２】
図１６は、図７に示す例において、図４に示すウインドウ表示が第３原色（青）である場合の各信号線の電位変動の一覧を示す図である。
【０１０３】
図１６に示すように、走査線ＳＣＬの選択がＧａｔｅＮ−１からＧａｔｅＮに遷移したとき、第１セレクタ信号ＳＥＬ１によって選択される信号線ＤＴＬ１の電位変動と信号線ＤＴＬ４の電位変動との総和が略ゼロ（≒０）となる。また、第２セレクタ信号ＳＥＬ２によって選択される信号線ＤＴＬ２の電位変動と信号線ＤＴＬ５の電位変動との総和が略ゼロ（≒０）となる。また、第３セレクタ信号ＳＥＬ３によって選択される信号線ＤＴＬ３の電位変動と信号線ＤＴＬ６の電位変動との総和が略ゼロ（≒０）となる。
【０１０４】
図１７は、図７に示す例において、図４に示すウインドウ表示が黄色である場合のＮ−１行及びＮ行の状態を示す図である。
【０１０５】
ＧａｔｅＮ−１が選択されているとき、第２副画素４９Ｇ１はプラス（＋）極性の電位を有している。一方、ＧａｔｅＮが選択されているとき、第１副画素４９Ｒ４はプラス（＋）極性の電位を有している。したがって、ＧａｔｅＮ−１からＧａｔｅＮに遷移したとき、信号線ＤＴＬ１の電圧は変化しない。より具体的には、ＧａｔｅＮ−１からＧａｔｅＮに遷移したときの信号線ＤＴＬ１の電位変動は略ゼロ（≒０）である。
【０１０６】
また、ＧａｔｅＮ−１が選択されているとき、第３副画素４９Ｂ１は黒表示であるので０Ｖとされる。一方、ＧａｔｅＮが選択されているとき、第２副画素４９Ｇ４はマイナス（−）極性の電位を有している。したがって、ＧａｔｅＮ−１からＧａｔｅＮに遷移したとき、信号線ＤＴＬ２の電圧は、マイナス（−）方向に遷移する。より具体的には、ＧａｔｅＮ−１からＧａｔｅＮに遷移したときの信号線ＤＴＬ２の電位変動は−Ｖである。
【０１０７】
また、ＧａｔｅＮ−１が選択されているとき、第１副画素４９Ｒ２はプラス（＋）極性の電位を有している。一方、ＧａｔｅＮが選択されているとき、第３副画素４９Ｂ５は黒表示であるので０Ｖとされる。したがって、ＧａｔｅＮ−１からＧａｔｅＮに遷移したとき、信号線ＤＴＬ３の電圧は、マイナス（−）方向に遷移する。より具体的には、ＧａｔｅＮ−１からＧａｔｅＮに遷移したときの信号線ＤＴＬ３の電位変動は−Ｖである。
【０１０８】
また、ＧａｔｅＮ−１が選択されているとき、第２副画素４９Ｇ２はマイナス（−）極性の電位を有している。一方、ＧａｔｅＮが選択されているとき、第１副画素４９Ｒ５はマイナス（−）極性の電位を有している。したがって、ＧａｔｅＮ−１からＧａｔｅＮに遷移したとき、信号線ＤＴＬ４の電圧は変化しない。より具体的には、ＧａｔｅＮ−１からＧａｔｅＮに遷移したときの信号線ＤＴＬ４の電位変動は略ゼロ（≒０）である。
【０１０９】
また、ＧａｔｅＮ−１が選択されているとき、第３副画素４９Ｂ２は黒表示であるので０Ｖとされる。一方、ＧａｔｅＮが選択されているとき、第２副画素４９Ｇ５はプラス（＋）極性の電位を有している。したがって、ＧａｔｅＮ−１からＧａｔｅＮに遷移したとき、信号線ＤＴＬ５の電圧は、プラス（＋）方向に遷移する。より具体的には、ＧａｔｅＮ−１からＧａｔｅＮに遷移したときの信号線ＤＴＬ５の電位変動は＋Ｖである。
【０１１０】
また、ＧａｔｅＮ−１が選択されているとき、第１副画素４９Ｒ３はマイナス（−）極性の電位を有している。一方、ＧａｔｅＮが選択されているとき、第３副画素４９Ｂ６は黒表示であるので０Ｖとされる。したがって、ＧａｔｅＮ−１からＧａｔｅＮに遷移したとき、信号線ＤＴＬ６の電圧は、プラス（＋）方向に遷移する。より具体的には、ＧａｔｅＮ−１からＧａｔｅＮに遷移したときの信号線ＤＴＬ６の電位変動は＋Ｖである。
【０１１１】
図１８は、図７に示す例において、図４に示すウインドウ表示が黄色である場合の各信号線の電位変動の一覧を示す図である。
【０１１２】
図１８に示すように、走査線ＳＣＬの選択がＧａｔｅＮ−１からＧａｔｅＮに遷移したとき、第１セレクタ信号ＳＥＬ１によって選択される信号線ＤＴＬ１の電位変動と信号線ＤＴＬ４の電位変動との総和が略ゼロ（≒０）となる。また、第２セレクタ信号ＳＥＬ２によって選択される信号線ＤＴＬ２の電位変動と信号線ＤＴＬ５の電位変動との総和が略ゼロ（≒０）となる。また、第３セレクタ信号ＳＥＬ３によって選択される信号線ＤＴＬ３の電位変動と信号線ＤＴＬ６の電位変動との総和が略ゼロ（≒０）となる。
【０１１３】
図１９は、図７に示す例において、図４に示すウインドウ表示がシアンである場合のＮ−１行及びＮ行の状態を示す図である。
【０１１４】
ＧａｔｅＮ−１が選択されているとき、第２副画素４９Ｇ１はプラス（＋）極性の電位を有している。一方、ＧａｔｅＮが選択されているとき、第１副画素４９Ｒ４は黒表示であるので０Ｖとされる。したがって、ＧａｔｅＮ−１からＧａｔｅＮに遷移したとき、信号線ＤＴＬ１の電圧は、マイナス（−）方向に遷移する。より具体的には、ＧａｔｅＮ−１からＧａｔｅＮに遷移したときの信号線ＤＴＬ１の電位変動は−Ｖである。
【０１１５】
また、ＧａｔｅＮ−１が選択されているとき、第３副画素４９Ｂ１はマイナス（−）極性の電位を有している。一方、ＧａｔｅＮが選択されているとき、第２副画素４９Ｇ４はマイナス（−）極性の電位を有している。したがって、ＧａｔｅＮ−１からＧａｔｅＮに遷移したとき、信号線ＤＴＬ２の電圧は変化しない。より具体的には、ＧａｔｅＮ−１からＧａｔｅＮに遷移したときの信号線ＤＴＬ２の電位変動は略ゼロ（≒０）である。
【０１１６】
また、ＧａｔｅＮ−１が選択されているとき、第１副画素４９Ｒ２は黒表示であるので０Ｖとされる。一方、ＧａｔｅＮが選択されているとき、第３副画素４９Ｂ５はプラス（＋）極性の電位を有している。したがって、ＧａｔｅＮ−１からＧａｔｅＮに遷移したとき、信号線ＤＴＬ３の電圧は、プラス（＋）方向に遷移する。より具体的には、ＧａｔｅＮ−１からＧａｔｅＮに遷移したときの信号線ＤＴＬ３の電位変動は＋Ｖである。
【０１１７】
また、ＧａｔｅＮ−１が選択されているとき、第２副画素４９Ｇ２はマイナス（−）極性の電位を有している。一方、ＧａｔｅＮが選択されているとき、第１副画素４９Ｒ５は黒表示であるので０Ｖとされる。したがって、ＧａｔｅＮ−１からＧａｔｅＮに遷移したとき、信号線ＤＴＬ４の電圧は、プラス（＋）方向に遷移する。より具体的には、ＧａｔｅＮ−１からＧａｔｅＮに遷移したときの信号線ＤＴＬ４の電位変動は＋Ｖである。
【０１１８】
また、ＧａｔｅＮ−１が選択されているとき、第３副画素４９Ｂ２はプラス（＋）極性の電位を有している。一方、ＧａｔｅＮが選択されているとき、第２副画素４９Ｇ５はプラス（＋）極性の電位を有している。したがって、ＧａｔｅＮ−１からＧａｔｅＮに遷移したとき、信号線ＤＴＬ５の電圧は変化しない。より具体的には、ＧａｔｅＮ−１からＧａｔｅＮに遷移したときの信号線ＤＴＬ５の電位変動は略ゼロ（≒０）である。
【０１１９】
また、ＧａｔｅＮ−１が選択されているとき、第１副画素４９Ｒ３は黒表示であるので０Ｖとされる。一方、ＧａｔｅＮが選択されているとき、第３副画素４９Ｂ６はマイナス（−）極性の電位を有している。したがって、ＧａｔｅＮ−１からＧａｔｅＮに遷移したとき、信号線ＤＴＬ６の電圧は、マイナス（−）方向に遷移する。より具体的には、ＧａｔｅＮ−１からＧａｔｅＮに遷移したときの信号線ＤＴＬ６の電位変動は−Ｖである。
【０１２０】
図２０は、図７に示す例において、図４に示すウインドウ表示がシアンである場合の各信号線の電位変動の一覧を示す図である。
【０１２１】
図２０に示すように、走査線ＳＣＬの選択がＧａｔｅＮ−１からＧａｔｅＮに遷移したとき、第１セレクタ信号ＳＥＬ１によって選択される信号線ＤＴＬ１の電位変動と信号線ＤＴＬ４の電位変動との総和が略ゼロ（≒０）となる。また、第２セレクタ信号ＳＥＬ２によって選択される信号線ＤＴＬ２の電位変動と信号線ＤＴＬ５の電位変動との総和が略ゼロ（≒０）となる。また、第３セレクタ信号ＳＥＬ３によって選択される信号線ＤＴＬ３の電位変動と信号線ＤＴＬ６の電位変動との総和が略ゼロ（≒０）となる。
【０１２２】
図２１は、図７に示す例において、図４に示すウインドウ表示がマゼンタである場合のＮ−１行及びＮ行の状態を示す図である。
【０１２３】
ＧａｔｅＮ−１が選択されているとき、第２副画素４９Ｇ１は黒表示であるので０Ｖとされる。一方、ＧａｔｅＮが選択されているとき、第１副画素４９Ｒ４はプラス（＋）極性の電位を有している。したがって、ＧａｔｅＮ−１からＧａｔｅＮに遷移したとき、信号線ＤＴＬ１の電圧は、プラス（＋）方向に遷移する。より具体的には、ＧａｔｅＮ−１からＧａｔｅＮに遷移したときの信号線ＤＴＬ１の電位変動は＋Ｖである。
【０１２４】
また、ＧａｔｅＮ−１が選択されているとき、第３副画素４９Ｂ１はマイナス（−）極性の電位を有している。一方、ＧａｔｅＮが選択されているとき、第２副画素４９Ｇ４は黒表示であるので０Ｖとされる。したがって、ＧａｔｅＮ−１からＧａｔｅＮに遷移したとき、信号線ＤＴＬ２の電圧は、プラス（＋）方向に遷移する。より具体的には、ＧａｔｅＮ−１からＧａｔｅＮに遷移したときの信号線ＤＴＬ２の電位変動は＋Ｖである。
【０１２５】
また、ＧａｔｅＮ−１が選択されているとき、第１副画素４９Ｒ２はプラス（＋）極性の電位を有している。一方、ＧａｔｅＮが選択されているとき、第３副画素４９Ｂ５はプラス（＋）極性の電位を有している。したがって、ＧａｔｅＮ−１からＧａｔｅＮに遷移したとき、信号線ＤＴＬ３の電圧は変化しない。より具体的には、ＧａｔｅＮ−１からＧａｔｅＮに遷移したときの信号線ＤＴＬ３の電位変動は略ゼロ（≒０）である。
【０１２６】
また、ＧａｔｅＮ−１が選択されているとき、第２副画素４９Ｇ２は黒表示であるので０Ｖとされる。一方、ＧａｔｅＮが選択されているとき、第１副画素４９Ｒ５はマイナス（−）極性の電位を有している。したがって、ＧａｔｅＮ−１からＧａｔｅＮに遷移したとき、信号線ＤＴＬ４の電圧は、マイナス（−）方向に遷移する。より具体的には、ＧａｔｅＮ−１からＧａｔｅＮに遷移したときの信号線ＤＴＬ４の電位変動は−Ｖである。
【０１２７】
また、ＧａｔｅＮ−１が選択されているとき、第３副画素４９Ｂ２はプラス（＋）極性の電位を有している。一方、ＧａｔｅＮが選択されているとき、第２副画素４９Ｇ５は黒表示であるので０Ｖとされる。したがって、ＧａｔｅＮ−１からＧａｔｅＮに遷移したとき、信号線ＤＴＬ５の電圧は、マイナス（−）方向に遷移する。より具体的には、ＧａｔｅＮ−１からＧａｔｅＮに遷移したときの信号線ＤＴＬ５の電位変動は−Ｖである。
【０１２８】
また、ＧａｔｅＮ−１が選択されているとき、第１副画素４９Ｒ３はマイナス（−）極性の電位を有している。一方、ＧａｔｅＮが選択されているとき、第３副画素４９Ｂ６はマイナス（−）極性の電位を有している。したがって、ＧａｔｅＮ−１からＧａｔｅＮに遷移したとき、信号線ＤＴＬ６の電圧は変化しない。より具体的には、ＧａｔｅＮ−１からＧａｔｅＮに遷移したときの信号線ＤＴＬ６の電位変動は略ゼロ（≒０）である。
【０１２９】
図２２は、図７に示す例において、図４に示すウインドウ表示がマゼンタである場合の各信号線の電位変動の一覧を示す図である。
【０１３０】
図２２に示すように、走査線ＳＣＬの選択がＧａｔｅＮ−１からＧａｔｅＮに遷移したとき、第１セレクタ信号ＳＥＬ１によって選択される信号線ＤＴＬ１の電位変動と信号線ＤＴＬ４の電位変動との総和が略ゼロ（≒０）となる。また、第２セレクタ信号ＳＥＬ２によって選択される信号線ＤＴＬ２の電位変動と信号線ＤＴＬ５の電位変動との総和が略ゼロ（≒０）となる。また、第３セレクタ信号ＳＥＬ３によって選択される信号線ＤＴＬ３の電位変動と信号線ＤＴＬ６の電位変動との総和が略ゼロ（≒０）となる。
【０１３１】
以下、実施形態に係る表示装置における画素配列及び信号出力回路の内部構成の変形例について説明する。
【０１３２】
（第１変形例）
図２３は、実施形態に係る表示装置における画素配列及び信号出力回路の内部構成の第１変形例を示す模式図である。図２３に示す第１変形例では、図７に示す例と同様に、第１原色（例えば、赤色）を表示する第１副画素、第２原色（例えば、緑色）を表示する第２副画素、第３原色（例えば、青色）を表示する第３副画素を有する構成例を示している。なお、図２３に示す例では、信号出力回路４１、走査回路４２、画像表示パネル３０の枠組みを省略して記載している。
【０１３３】
図２３に示す第１変形例では、第１副画素（赤）、第２副画素（緑）、第３副画素（青）の順で並ぶ副画素行が偶数行と奇数行とで１副画素分交互にずれて配置された例を示している。
【０１３４】
また、図２３に示す第１変形例では、各副画素行の１行毎に、交互に異なる副画素列に属する副画素４９に各信号線ＤＴＬが接続された例を示している。具体的に、Ｎ−１行目（Ｎは、２以上の整数）及びＮ＋１行目の副画素行では、各信号線ＤＴＬの図中右側の副画素列に属する副画素４９に各信号線ＤＴＬが接続され、Ｎ行目及びＮ＋２行目の副画素行では、各信号線ＤＴＬの図中左側の副画素列に属する副画素４９に各信号線ＤＴＬが接続された例を示している。
【０１３５】
また、図２３に示す第１変形例では、互いに極性が異なる第１ソース信号Ｓ１又は第２ソース信号Ｓ２が供給される１対の信号線ＤＴＬが、第１セレクタ信号ＳＥＬ１、第２セレクタ信号ＳＥＬ２、第３セレクタ信号ＳＥＬ３によってそれぞれ１対ずつ選択される。なお、共通電極ＣＯＭＬの電位に対する第１ソース信号Ｓ１の電位＋Ｖの大きさと、共通電極ＣＯＭＬの電位に対する第２ソース信号Ｓ２の電位−Ｖの大きさとは略等しい。
【０１３６】
具体的に、信号線ＤＴＬ１には、第１セレクタ信号ＳＥＬ１によって選択されたプラス（＋）極性の第１ソース信号Ｓ１が供給される。
【０１３７】
また、信号線ＤＴＬ２には、第２セレクタ信号ＳＥＬ２によって選択されたマイナス（−）極性の第２ソース信号Ｓ２が供給される。
【０１３８】
また、信号線ＤＴＬ３には、第３セレクタ信号ＳＥＬ３によって選択されたプラス（＋）極性の第１ソース信号Ｓ１が供給される。
【０１３９】
また、信号線ＤＴＬ４には、第１セレクタ信号ＳＥＬ１によって選択されたマイナス（−）極性の第２ソース信号Ｓ２が供給される。
【０１４０】
また、信号線ＤＴＬ５には、第２セレクタ信号ＳＥＬ２によって選択されたプラス（＋）極性の第１ソース信号Ｓ１が供給される。
【０１４１】
また、信号線ＤＴＬ６には、第３セレクタ信号ＳＥＬ３によって選択されたマイナス（−）極性の第２ソース信号Ｓ２が供給される。
【０１４２】
図２４は、図２３に示す第１変形例において、図４に示すウインドウ表示が第１原色（赤）である場合のＮ−１行及びＮ行の状態を示す図である。図２５は、図２３に示す第１変形例において、図４に示すウインドウ表示が第１原色（赤）である場合の各信号線の電位変動の一覧を示す図である。
【０１４３】
図２６は、図２３に示す第１変形例において、図４に示すウインドウ表示が第２原色（緑）である場合のＮ−１行及びＮ行の状態を示す図である。図２７は、図２３に示す第１変形例において、図４に示すウインドウ表示が第２原色（緑）である場合の各信号線の電位変動の一覧を示す図である。
【０１４４】
図２４から図２７に示すように、図２３に示す第１変形例においても、各副画素列を順次選択する際、第１セレクタ信号ＳＥＬ１によって選択される信号線ＤＴＬ１の電位変動と信号線ＤＴＬ４の電位変動との総和が略ゼロ（≒０）となる。また、第２セレクタ信号ＳＥＬ２によって選択される信号線ＤＴＬ２の電位変動と信号線ＤＴＬ５の電位変動との総和が略ゼロ（≒０）となる。また、第３セレクタ信号ＳＥＬ３によって選択される信号線ＤＴＬ３の電位変動と信号線ＤＴＬ６の電位変動との総和が略ゼロ（≒０）となる。
【０１４５】
このように、図２３に示す第１変形例においても、各副画素列を順次選択する際に、各セレクタ信号毎に選択される各信号線ＤＴＬの電位変動の総和が略ゼロ（≒０）となり、クロストークによる画質劣化を低減することができる。
【０１４６】
（第２変形例）
図２８は、実施形態に係る表示装置における画素配列及び信号出力回路の内部構成の第２変形例を示す模式図である。図２８に示す第２変形例では、図７に示す例及び図２３に示す第１変形例と同様に、第１原色（例えば、赤色）を表示する第１副画素、第２原色（例えば、緑色）を表示する第２副画素、第３原色（例えば、青色）を表示する第３副画素を有する構成例を示している。なお、図２８に示す例においても、信号出力回路４１、走査回路４２、画像表示パネル３０の枠組みを省略して記載している。
【０１４７】
図２８に示す第２変形例では、図７に示す例と同様に、第１副画素（赤）、第２副画素（緑）、第３副画素（青）の順で並ぶ副画素行が１行毎に１副画素分ずれて配置された例を示している。
【０１４８】
また、図２８に示す第２変形例では、図７に示す例と同様に、各副画素行の２行毎に、交互に異なる副画素列に属する副画素４９に各信号線ＤＴＬが接続された例を示している。具体的に、Ｎ−１行目（Ｎは、２以上の整数）及びＮ行目の副画素行では、各信号線ＤＴＬの図中右側の副画素列に属する副画素４９に各信号線ＤＴＬが接続され、Ｎ＋１行目及びＮ＋２行目の副画素行では、各信号線ＤＴＬの図中左側の副画素列に属する副画素４９に各信号線ＤＴＬが接続された例を示している。
【０１４９】
また、図２８に示す第２変形例では、互いに極性が異なる第１ソース信号Ｓ１又は第２ソース信号Ｓ２が供給される１対の信号線ＤＴＬ、及び、互いに極性が異なる第３ソース信号Ｓ３又は第４ソース信号Ｓ４が供給される１対の信号線ＤＴＬが、第１セレクタ信号ＳＥＬ１、第２セレクタ信号ＳＥＬ２、第３セレクタ信号ＳＥＬ３によってそれぞれ１対ずつ選択される。なお、共通電極ＣＯＭＬの電位に対する第１ソース信号Ｓ１の電位＋Ｖの大きさと、共通電極ＣＯＭＬの電位に対する第２ソース信号Ｓ２の電位−Ｖの大きさとは略等しく、共通電極ＣＯＭＬの電位に対する第３ソース信号Ｓ３の電位＋Ｖの大きさと、共通電極ＣＯＭＬの電位に対する第４ソース信号Ｓ４の電位−Ｖの大きさとは略等しい。また、ここでは、図４に示す単色のウインドウ画像３０Ｗを表示するため、共通電極ＣＯＭＬの電位に対する第１ソース信号Ｓ１の電位＋Ｖの大きさと、共通電極ＣＯＭＬの電位に対する第２ソース信号Ｓ２の電位−Ｖの大きさと、共通電極ＣＯＭＬの電位に対する第３ソース信号Ｓ３の電位＋Ｖの大きさと、共通電極ＣＯＭＬの電位に対する第４ソース信号Ｓ４の電位−Ｖの大きさと、は略等しい。
【０１５０】
具体的に、信号線ＤＴＬ１には、第１セレクタ信号ＳＥＬ１によって選択されたプラス（＋）極性の第１ソース信号Ｓ１が供給される。
【０１５１】
また、信号線ＤＴＬ２には、第３セレクタ信号ＳＥＬ３によって選択されたマイナス（−）極性の第２ソース信号Ｓ２が供給される。
【０１５２】
また、信号線ＤＴＬ３には、第３セレクタ信号ＳＥＬ３によって選択されたプラス（＋）極性の第１ソース信号Ｓ１が供給される。
【０１５３】
また、信号線ＤＴＬ４には、第２セレクタ信号ＳＥＬ２によって選択されたマイナス（−）極性の第２ソース信号Ｓ２が供給される。
【０１５４】
また、信号線ＤＴＬ５には、第２セレクタ信号ＳＥＬ２によって選択されたプラス（＋）極性の第１ソース信号Ｓ１が供給される。
【０１５５】
また、信号線ＤＴＬ６には、第１セレクタ信号ＳＥＬ１によって選択されたマイナス（−）極性の第２ソース信号Ｓ２が供給される。
【０１５６】
また、信号線ＤＴＬ７には、第２セレクタ信号ＳＥＬ２によって選択されたプラス（＋）極性の第３ソース信号Ｓ３が供給される。
【０１５７】
また、信号線ＤＴＬ８には、第２セレクタ信号ＳＥＬ２によって選択されたマイナス（−）極性の第４ソース信号Ｓ４が供給される。
【０１５８】
また、信号線ＤＴＬ９には、第１セレクタ信号ＳＥＬ１によって選択されたプラス（＋）極性の第３ソース信号Ｓ３が供給される。
【０１５９】
また、信号線ＤＴＬ１０には、第１セレクタ信号ＳＥＬ１によって選択されたマイナス（−）極性の第４ソース信号Ｓ４が供給される。
【０１６０】
また、信号線ＤＴＬ１１には、第３セレクタ信号ＳＥＬ３によって選択されたプラス（＋）極性の第３ソース信号Ｓ３が供給される。
【０１６１】
また、信号線ＤＴＬ１２には、第３セレクタ信号ＳＥＬ３によって選択されたマイナス（−）極性の第４ソース信号Ｓ４が供給される。
【０１６２】
図２９は、図２８に示す第２変形例において、図４に示すウインドウ表示が第１原色（赤）である場合のＮ−１行及びＮ行の状態を示す図である。図３０は、図２８に示す第２変形例において、図４に示すウインドウ表示が第１原色（赤）である場合のＮ行及びＮ＋１行の状態を示す図である。図３１は、図２８に示す第２変形例において、図４に示すウインドウ表示が第１原色（赤）である場合の各信号線の電位変動の一覧を示す図である。図３２は、図２８に示す第２変形例において、図４に示すウインドウ表示が第２原色（緑）である場合のＮ−１行及びＮ行の状態を示す図である。図３３は、図２８に示す第２変形例において、図４に示すウインドウ表示が第２原色（緑）である場合の各信号線の電位変動の一覧を示す図である。図３４は、図２８に示す第２変形例において、図４に示すウインドウ表示が第３原色（青）である場合のＮ−１行及びＮ行の状態を示す図である。図３５は、図２８に示す第２変形例において、図４に示すウインドウ表示が第３原色（青）である場合の各信号線の電位変動の一覧を示す図である。
【０１６３】
図２９から図３５に示すように、図２８に示す第２変形例では、各副画素列を順次選択する際、第１セレクタ信号ＳＥＬ１によって選択される信号線ＤＴＬ１の電位変動と信号線ＤＴＬ６の電位変動と信号線ＤＴＬ９の電位変動と信号線ＤＴＬ１０の電位変動との総和が略ゼロ（≒０）となる。また、第２セレクタ信号ＳＥＬ２によって選択される信号線ＤＴＬ４の電位変動と信号線ＤＴＬ５の電位変動と信号線ＤＴＬ７の電位変動と信号線ＤＴＬ８の電位変動との総和が略ゼロ（≒０）となる。また、第３セレクタ信号ＳＥＬ３によって選択される信号線ＤＴＬ２の電位変動と信号線ＤＴＬ３の電位変動と信号線ＤＴＬ１１の電位変動と信号線ＤＴＬ１２の電位変動との総和が略ゼロ（≒０）となる。
【０１６４】
このように、図２８に示す第２変形例においても、各副画素列を順次選択する際に、各セレクタ信号毎に選択される各信号線の電位変動の総和が略ゼロ（≒０）となり、クロストークによる画質劣化を低減することができる。
【０１６５】
（第３変形例）
図３６は、実施形態に係る表示装置における画素配列及び信号出力回路の内部構成の第３変形例を示す模式図である。図３６に示す第３変形例では、図７に示す例、図２３に示す第１変形例、及び図２８に示す第２変形例と同様に、第１原色（例えば、赤色）を表示する第１副画素、第２原色（例えば、緑色）を表示する第２副画素、第３原色（例えば、青色）を表示する第３副画素を有する構成例を示している。なお、図３６に示す例においても、信号出力回路４１、走査回路４２、画像表示パネル３０の枠組みを省略して記載している。
【０１６６】
図３６に示す第３変形例では、図２３に示す第１変形例と同様に、第１副画素（赤）、第２副画素（緑）、第３副画素（青）の順で並ぶ副画素行が偶数行と奇数行とで１副画素分交互にずれて配置された例を示している。
【０１６７】
また、図３６に示す第３変形例では、図２３に示す第１変形例と同様に、各副画素行の１行毎に、交互に異なる副画素列に属する副画素４９に各信号線ＤＴＬが接続された例を示している。具体的に、Ｎ−１行目（Ｎは、２以上の整数）及びＮ＋１行目の副画素行では、各信号線ＤＴＬの図中右側の副画素列に属する副画素４９に各信号線ＤＴＬが接続され、Ｎ行目及びＮ＋２行目の副画素行では、各信号線ＤＴＬの図中左側の副画素列に属する副画素４９に各信号線ＤＴＬが接続された例を示している。
【０１６８】
また、図３６に示す第３変形例では、互いに極性が異なる第１ソース信号Ｓ１又は第２ソース信号Ｓ２が供給される１対の信号線ＤＴＬ、互いに極性が異なる第３ソース信号Ｓ３又は第４ソース信号Ｓ４が供給される１対の信号線ＤＴＬ、及び、互いに極性が異なる第５ソース信号Ｓ５又は第６ソース信号Ｓ６が供給される１対の信号線ＤＴＬが、第１セレクタ信号ＳＥＬ１、第２セレクタ信号ＳＥＬ２、第３セレクタ信号ＳＥＬ３によってそれぞれ１対ずつ選択される。なお、共通電極ＣＯＭＬの電位に対する第１ソース信号Ｓ１の電位＋Ｖの大きさと、共通電極ＣＯＭＬの電位に対する第２ソース信号Ｓ２の電位−Ｖの大きさとは略等しく、共通電極ＣＯＭＬの電位に対する第３ソース信号Ｓ３の電位＋Ｖの大きさと、共通電極ＣＯＭＬの電位に対する第４ソース信号Ｓ４の電位−Ｖの大きさとは略等しく、共通電極ＣＯＭＬの電位に対する第５ソース信号Ｓ５の電位＋Ｖの大きさと、共通電極ＣＯＭＬの電位に対する第６ソース信号Ｓ６の電位−Ｖの大きさとは略等しい。また、ここでは、図４に示す単色のウインドウ画像３０Ｗを表示するため、共通電極ＣＯＭＬの電位に対する第１ソース信号Ｓ１の電位＋Ｖの大きさと、共通電極ＣＯＭＬの電位に対する第２ソース信号Ｓ２の電位−Ｖの大きさと、共通電極ＣＯＭＬの電位に対する第３ソース信号Ｓ３の電位＋Ｖの大きさと、共通電極ＣＯＭＬの電位に対する第４ソース信号Ｓ４の電位−Ｖの大きさと、共通電極ＣＯＭＬの電位に対する第５ソース信号Ｓ５の電位＋Ｖの大きさと、共通電極ＣＯＭＬの電位に対する第６ソース信号Ｓ６の電位−Ｖの大きさと、は略等しい。
【０１６９】
具体的に、信号線ＤＴＬ１には、第１セレクタ信号ＳＥＬ１によって選択されたプラス（＋）極性の第１ソース信号Ｓ１が供給される。
【０１７０】
また、信号線ＤＴＬ２には、第２セレクタ信号ＳＥＬ２によって選択されたマイナス（−）極性の第２ソース信号Ｓ２が供給される。
【０１７１】
また、信号線ＤＴＬ３には、第３セレクタ信号ＳＥＬ３によって選択されたプラス（＋）極性の第１ソース信号Ｓ１が供給される。
【０１７２】
また、信号線ＤＴＬ４には、第３セレクタ信号ＳＥＬ３によって選択されたマイナス（−）極性の第２ソース信号Ｓ２が供給される。
【０１７３】
また、信号線ＤＴＬ５には、第２セレクタ信号ＳＥＬ２によって選択されたプラス（＋）極性の第１ソース信号Ｓ１が供給される。
【０１７４】
また、信号線ＤＴＬ６には、第１セレクタ信号ＳＥＬ１によって選択されたマイナス（−）極性の第２ソース信号Ｓ２が供給される。
【０１７５】
また、信号線ＤＴＬ７には、第２セレクタ信号ＳＥＬ２によって選択されたプラス（＋）極性の第３ソース信号Ｓ３が供給される。
【０１７６】
また、信号線ＤＴＬ８には、第３セレクタ信号ＳＥＬ３によって選択されたマイナス（−）極性の第４ソース信号Ｓ４が供給される。
【０１７７】
また、信号線ＤＴＬ９には、第１セレクタ信号ＳＥＬ１によって選択されたプラス（＋）極性の第３ソース信号Ｓ３が供給される。
【０１７８】
また、信号線ＤＴＬ１０には、第１セレクタ信号ＳＥＬ１によって選択されたマイナス（−）極性の第４ソース信号Ｓ４が供給される。
【０１７９】
また、信号線ＤＴＬ１１には、第３セレクタ信号ＳＥＬ３によって選択されたプラス（＋）極性の第３ソース信号Ｓ３が供給される。
【０１８０】
また、信号線ＤＴＬ１２には、第２セレクタ信号ＳＥＬ２によって選択されたマイナス（−）極性の第４ソース信号Ｓ４が供給される。
【０１８１】
また、信号線ＤＴＬ１３には、第３セレクタ信号ＳＥＬ３によって選択されたプラス（＋）極性の第５ソース信号Ｓ５が供給される。
【０１８２】
また、信号線ＤＴＬ１４には、第１セレクタ信号ＳＥＬ１によって選択されたマイナス（−）極性の第６ソース信号Ｓ６が供給される。
【０１８３】
また、信号線ＤＴＬ１５には、第２セレクタ信号ＳＥＬ２によって選択されたプラス（＋）極性の第５ソース信号Ｓ５が供給される。
【０１８４】
また、信号線ＤＴＬ１６には、第２セレクタ信号ＳＥＬ２によって選択されたマイナス（−）極性の第６ソース信号Ｓ６が供給される。
【０１８５】
また、信号線ＤＴＬ１７には、第１セレクタ信号ＳＥＬ１によって選択されたプラス（＋）極性の第５ソース信号Ｓ５が供給される。
【０１８６】
また、信号線ＤＴＬ１８には、第３セレクタ信号ＳＥＬ３によって選択されたマイナス（−）極性の第６ソース信号Ｓ６が供給される。
【０１８７】
図３７は、図３６に示す第３変形例において、図４に示すウインドウ表示が第１原色（赤）である場合のＮ−１行及びＮ行の状態を示す図である。図３８は、図３６に示す第３変形例において、図４に示すウインドウ表示が第１原色（赤）である場合の各信号線の電位変動の一覧を示す図である。
【０１８８】
図３７から図３８に示すように、図３６に示す第３変形例では、各副画素列を順次選択する際、第１セレクタ信号ＳＥＬ１によって選択される信号線ＤＴＬ１の電位変動と信号線ＤＴＬ６の電位変動と信号線ＤＴＬ９の電位変動と信号線ＤＴＬ１０の電位変動と信号線ＤＴＬ１４の電位変動と信号線ＤＴＬ１７の電位変動との総和が略ゼロ（≒０）となる。また、第２セレクタ信号ＳＥＬ２によって選択される信号線ＤＴＬ２の電位変動と信号線ＤＴＬ５の電位変動と信号線ＤＴＬ７の電位変動と信号線ＤＴＬ１２の電位変動と信号線ＤＴＬ１５の電位変動と信号線ＤＴＬ１６の電位変動との総和が略ゼロ（≒０）となる。また、第３セレクタ信号ＳＥＬ３によって選択される信号線ＤＴＬ３の電位変動と信号線ＤＴＬ４の電位変動と信号線ＤＴＬ８の電位変動と信号線ＤＴＬ１１の電位変動と信号線ＤＴＬ１３の電位変動と信号線ＤＴＬ１８の電位変動との総和が略ゼロ（≒０）となる。
【０１８９】
このように、図３６に示す第３変形例においても、各副画素列を順次選択する際に、各セレクタ信号毎に選択される各信号線ＤＴＬの電位変動の総和が略ゼロ（≒０）となり、クロストークによる画質劣化を低減することができる。
【０１９０】
（第４変形例）
図３９は、実施形態に係る表示装置における画素配列及び信号出力回路の内部構成の第４変形例を示す模式図である。図３９に示す第４変形例では、第１原色（例えば、赤色）を表示する第１副画素、第２原色（例えば、緑色）を表示する第２副画素、第３原色（例えば、青色）を表示する第３副画素、第４の色（具体的には白色）を表示する第４副画素を有する構成例を示している。なお、図３９に示す例においても、信号出力回路４１、走査回路４２、画像表示パネル３０の枠組みを省略して記載している。
【０１９１】
図３９に示す第４変形例では、図２３に示す第１変形例と同様に、第１副画素（赤）、第２副画素（緑）、第３副画素（青）、第１副画素（赤）、第２副画素（緑）、第４副画素（白）の順で並ぶ副画素行が偶数行と奇数行とで３副画素分交互にずれて配置された例を示している。
【０１９２】
また、図３９に示す第４変形例では、図２３に示す第１変形例及び図３６に示す第３変形例と同様に、各副画素行の１行毎に、交互に異なる副画素列に属する副画素４９に各信号線ＤＴＬが接続された例を示している。具体的に、Ｎ−１行目（Ｎは、２以上の整数）及びＮ＋１行目の副画素行では、各信号線ＤＴＬの図中右側の副画素列に属する副画素４９に各信号線ＤＴＬが接続され、Ｎ行目及びＮ＋２行目の副画素行では、各信号線ＤＴＬの図中左側の副画素列に属する副画素４９に各信号線ＤＴＬが接続された例を示している。
【０１９３】
また、図３９に示す第４変形例では、互いに極性が異なる第１ソース信号Ｓ１又は第２ソース信号Ｓ２が供給される１対の信号線ＤＴＬ、及び、互いに極性が異なる第３ソース信号Ｓ３又は第４ソース信号Ｓ４が供給される１対の信号線ＤＴＬが、第１セレクタ信号ＳＥＬ１、第２セレクタ信号ＳＥＬ２、第３セレクタ信号ＳＥＬ３によってそれぞれ１対ずつ選択される。なお、共通電極ＣＯＭＬの電位に対する第１ソース信号Ｓ１の電位＋Ｖの大きさと、共通電極ＣＯＭＬの電位に対する第２ソース信号Ｓ２の電位−Ｖの大きさとは略等しく、共通電極ＣＯＭＬの電位に対する第３ソース信号Ｓ３の電位＋Ｖの大きさと、共通電極ＣＯＭＬの電位に対する第４ソース信号Ｓ４の電位−Ｖの大きさとは略等しい。また、ここでは、図４に示す単色のウインドウ画像３０Ｗを表示するため、共通電極ＣＯＭＬの電位に対する第１ソース信号Ｓ１の電位＋Ｖの大きさと、共通電極ＣＯＭＬの電位に対する第２ソース信号Ｓ２の電位−Ｖの大きさと、共通電極ＣＯＭＬの電位に対する第３ソース信号Ｓ３の電位＋Ｖの大きさと、共通電極ＣＯＭＬの電位に対する第４ソース信号Ｓ４の電位−Ｖの大きさと、は略等しい。
【０１９４】
具体的に、信号線ＤＴＬ１には、第１セレクタ信号ＳＥＬ１によって選択されたマイナス（−）極性の第２ソース信号Ｓ２が供給される。
【０１９５】
また、信号線ＤＴＬ２には、第１セレクタ信号ＳＥＬ１によって選択されたプラス（＋）極性の第１ソース信号Ｓ１が供給される。
【０１９６】
また、信号線ＤＴＬ３には、第２セレクタ信号ＳＥＬ２によって選択されたプラス（＋）極性の第１ソース信号Ｓ１が供給される。
【０１９７】
また、信号線ＤＴＬ４には、第２セレクタ信号ＳＥＬ２によって選択されたマイナス（−）極性の第２ソース信号Ｓ２が供給される。
【０１９８】
また、信号線ＤＴＬ５には、第３セレクタ信号ＳＥＬ３によって選択されたマイナス（−）極性の第２ソース信号Ｓ２が供給される。
【０１９９】
また、信号線ＤＴＬ６には、第３セレクタ信号ＳＥＬ３によって選択されたプラス（＋）極性の第１ソース信号Ｓ１が供給される。
【０２００】
また、信号線ＤＴＬ７には、第１セレクタ信号ＳＥＬ１によって選択されたプラス（＋）極性の第３ソース信号Ｓ３が供給される。
【０２０１】
また、信号線ＤＴＬ８には、第１セレクタ信号ＳＥＬ１によって選択されたマイナス（−）極性の第４ソース信号Ｓ４が供給される。
【０２０２】
また、信号線ＤＴＬ９には、第２セレクタ信号ＳＥＬ２によって選択されたマイナス（−）極性の第４ソース信号Ｓ４が供給される。
【０２０３】
また、信号線ＤＴＬ１０には、第２セレクタ信号ＳＥＬ２によって選択されたプラス（＋）極性の第３ソース信号Ｓ３が供給される。
【０２０４】
また、信号線ＤＴＬ１１には、第３セレクタ信号ＳＥＬ３によって選択されたプラス（＋）極性の第３ソース信号Ｓ３が供給される。
【０２０５】
また、信号線ＤＴＬ１２には、第３セレクタ信号ＳＥＬ３によって選択されたマイナス（−）極性の第４ソース信号Ｓ４が供給される。
【０２０６】
図４０は、図３９に示す第４変形例において、図４に示すウインドウ表示が第１原色（赤）である場合のＮ−１行及びＮ行の状態を示す図である。図４１は、図３９に示す第４変形例において、図４に示すウインドウ表示が第１原色（赤）である場合の各信号線の電位変動の一覧を示す図である。図４２は、図３９に示す第４変形例において、図４に示すウインドウ表示が第２原色（緑）である場合のＮ−１行及びＮ行の状態を示す図である。図４３は、図３９に示す第４変形例において、図４に示すウインドウ表示が第２原色（緑）である場合の各信号線の電位変動の一覧を示す図である。図４４は、図３９に示す第４変形例において、図４に示すウインドウ表示が第３原色（青）である場合のＮ−１行及びＮ行の状態を示す図である。図４５は、図３９に示す第４変形例において、図４に示すウインドウ表示が第３原色（青）である場合の各信号線の電位変動の一覧を示す図である。
【０２０７】
図４０から図４５に示すように、図３９に示す第４変形例では、各副画素列を順次選択する際、第１セレクタ信号ＳＥＬ１によって選択される信号線ＤＴＬ１の電位変動と信号線ＤＴＬ２の電位変動と信号線ＤＴＬ７の電位変動と信号線ＤＴＬ８の電位変動との総和が略ゼロ（≒０）となる。また、第２セレクタ信号ＳＥＬ２によって選択される信号線ＤＴＬ３の電位変動と信号線ＤＴＬ４の電位変動と信号線ＤＴＬ９の電位変動と信号線ＤＴＬ１０の電位変動との総和が略ゼロ（≒０）となる。また、第３セレクタ信号ＳＥＬ３によって選択される信号線ＤＴＬ５の電位変動と信号線ＤＴＬ６の電位変動と信号線ＤＴＬ１１の電位変動と信号線ＤＴＬ１２の電位変動との総和が略ゼロ（≒０）となる。
【０２０８】
このように、図３９に示す第４変形例においても、各副画素列を順次選択する際に、各セレクタ信号毎に選択される各信号線ＤＴＬの電位変動の総和が略ゼロ（≒０）となり、クロストークによる画質劣化を低減することができる。
【０２０９】
（第５変形例）
図４６は、実施形態に係る表示装置における画素配列及び信号出力回路の内部構成の第５変形例を示す模式図である。図４６に示す第５変形例では、図３９に示す第４変形例と同様に、第１原色（例えば、赤色）を表示する第１副画素、第２原色（例えば、緑色）を表示する第２副画素、第３原色（例えば、青色）を表示する第３副画素、第４の色（具体的には白色）を表示する第４副画素を有する構成例を示している。なお、図４６に示す例においても、信号出力回路４１、走査回路４２、画像表示パネル３０の枠組みを省略して記載している。
【０２１０】
図４６に示す第５変形例では、図３９に示す第４変形例と同様に、第１副画素（赤）、第２副画素（緑）、第３副画素（青）、第１副画素（赤）、第２副画素（緑）、第４副画素（白）の順で並ぶ副画素行が偶数行と奇数行とで３副画素分交互にずれて配置された例を示している。
【０２１１】
また、図４６に示す第５変形例では、図７に示す例及び図２８に示す第２変形例と同様に、各副画素行の２行毎に、交互に異なる副画素列に属する副画素４９に各信号線ＤＴＬが接続された例を示している。具体的に、Ｎ−１行目（Ｎは、２以上の整数）及びＮ行目の副画素行では、各信号線ＤＴＬの図中左側の副画素列に属する副画素４９に各信号線ＤＴＬが接続され、Ｎ＋１行目及びＮ＋２行目の副画素行では、各信号線ＤＴＬの図中右側の副画素列に属する副画素４９に各信号線ＤＴＬが接続された例を示している。
【０２１２】
また、図４６に示す第５変形例では、互いに極性が異なる第１ソース信号Ｓ１又は第２ソース信号Ｓ２が供給される１対の信号線ＤＴＬ、及び、互いに極性が異なる第３ソース信号Ｓ３又は第４ソース信号Ｓ４が供給される１対の信号線ＤＴＬが、第１セレクタ信号ＳＥＬ１、第２セレクタ信号ＳＥＬ２、第３セレクタ信号ＳＥＬ３によってそれぞれ１対ずつ選択される。なお、共通電極ＣＯＭＬの電位に対する第１ソース信号Ｓ１の電位−Ｖの大きさと、共通電極ＣＯＭＬの電位に対する第２ソース信号Ｓ２の電位＋Ｖの大きさとは略等しく、共通電極ＣＯＭＬの電位に対する第３ソース信号Ｓ３の電位−Ｖの大きさと、共通電極ＣＯＭＬの電位に対する第４ソース信号Ｓ４の電位＋Ｖの大きさとは略等しい。また、ここでは、図４に示す単色のウインドウ画像３０Ｗを表示するため、共通電極ＣＯＭＬの電位に対する第１ソース信号Ｓ１の電位−Ｖの大きさと、共通電極ＣＯＭＬの電位に対する第２ソース信号Ｓ２の電位＋Ｖの大きさと、共通電極ＣＯＭＬの電位に対する第３ソース信号Ｓ３の電位−Ｖの大きさと、共通電極ＣＯＭＬの電位に対する第４ソース信号Ｓ４の電位＋Ｖの大きさと、は略等しい。
【０２１３】
具体的に、信号線ＤＴＬ１には、第１セレクタ信号ＳＥＬ１によって選択されたマイナス（−）極性の第１ソース信号Ｓ１が供給される。
【０２１４】
また、信号線ＤＴＬ２には、第２セレクタ信号ＳＥＬ２によって選択されたマイナス（−）極性の第１ソース信号Ｓ１が供給される。
【０２１５】
また、信号線ＤＴＬ３には、第２セレクタ信号ＳＥＬ２によって選択されたプラス（＋）極性の第２ソース信号Ｓ２が供給される。
【０２１６】
また、信号線ＤＴＬ４には、第３セレクタ信号ＳＥＬ３によって選択されたプラス（＋）極性の第２ソース信号Ｓ２が供給される。
【０２１７】
また、信号線ＤＴＬ５には、第３セレクタ信号ＳＥＬ３によって選択されたマイナス（−）極性の第１ソース信号Ｓ１が供給される。
【０２１８】
また、信号線ＤＴＬ６には、第１セレクタ信号ＳＥＬ１によって選択されたマイナス（−）極性の第３ソース信号Ｓ３が供給される。
【０２１９】
また、信号線ＤＴＬ７には、第１セレクタ信号ＳＥＬ１によって選択されたプラス（＋）極性の第２ソース信号Ｓ２が供給される。
【０２２０】
また、信号線ＤＴＬ８には、第２セレクタ信号ＳＥＬ２によって選択されたプラス（＋）極性の第４ソース信号Ｓ４が供給される。
【０２２１】
また、信号線ＤＴＬ９には、第２セレクタ信号ＳＥＬ２によって選択されたマイナス（−）極性の第３ソース信号Ｓ３が供給される。
【０２２２】
また、信号線ＤＴＬ１０には、第３セレクタ信号ＳＥＬ３によって選択されたマイナス（−）極性の第３ソース信号Ｓ３が供給される。
【０２２３】
また、信号線ＤＴＬ１１には、第３セレクタ信号ＳＥＬ３によって選択されたプラス（＋）極性の第４ソース信号Ｓ４が供給される。
【０２２４】
また、信号線ＤＴＬ１２には、第１セレクタ信号ＳＥＬ１によって選択されたプラス（＋）極性の第４ソース信号Ｓ４が供給される。
【０２２５】
図４７は、図４６に示す第５変形例において、図４に示すウインドウ表示が第１原色（赤）である場合のＮ行及びＮ＋１行の状態を示す図である。図４８は、図４６に示す第５変形例において、図４に示すウインドウ表示が第１原色（赤）である場合の各信号線の電位変動の一覧を示す図である。図４９は、図４６に示す第５変形例において、図４に示すウインドウ表示が第２原色（緑）である場合のＮ行及びＮ＋１行の状態を示す図である。図５０は、図４６に示す第５変形例において、図４に示すウインドウ表示が第２原色（緑）である場合の各信号線の電位変動の一覧を示す図である。図５１は、図４６に示す第５変形例において、図４に示すウインドウ表示が第３原色（青）である場合のＮ行及びＮ＋１行の状態を示す図である。図５２は、図４６に示す第５変形例において、図４に示すウインドウ表示が第３原色（青）である場合の各信号線の電位変動の一覧を示す図である。
【０２２６】
図４７から図５２に示すように、図４６に示す第５変形例では、各副画素列を順次選択する際、第１セレクタ信号ＳＥＬ１によって選択される信号線ＤＴＬ１の電位変動と信号線ＤＴＬ６の電位変動と信号線ＤＴＬ７の電位変動と信号線ＤＴＬ１２の電位変動との総和が略ゼロ（≒０）となる。また、第２セレクタ信号ＳＥＬ２によって選択される信号線ＤＴＬ２の電位変動と信号線ＤＴＬ３の電位変動と信号線ＤＴＬ８の電位変動と信号線ＤＴＬ９の電位変動との総和が略ゼロ（≒０）となる。また、第３セレクタ信号ＳＥＬ３によって選択される信号線ＤＴＬ４の電位変動と信号線ＤＴＬ５の電位変動と信号線ＤＴＬ１０の電位変動と信号線ＤＴＬ１１の電位変動との総和が略ゼロ（≒０）となる。
【０２２７】
このように、図４６に示す第５変形例においても、各副画素列を順次選択する際に、各セレクタ信号毎に選択される各信号線ＤＴＬの電位変動の総和が略ゼロ（≒０）となり、クロストークによる画質劣化を低減することができる。
【０２２８】
（第６変形例）
図５３は、実施形態に係る表示装置における画素配列及び信号出力回路の内部構成の第６変形例を示す模式図である。図５３に示す第６変形例では、図３９に示す第４変形例及び図４６に示す第５変形例と同様に、第１原色（例えば、赤色）を表示する第１副画素、第２原色（例えば、緑色）を表示する第２副画素、第３原色（例えば、青色）を表示する第３副画素、第４の色（具体的には白色）を表示する第４副画素を有する構成例を示している。なお、図５３に示す例においても、信号出力回路４１、走査回路４２、画像表示パネル３０の枠組みを省略して記載している。
【０２２９】
図５３に示す第６変形例では、第１副画素（赤）、第２副画素（緑）、第３副画素（青）、第４副画素（白）の順で並ぶ副画素行が偶数行と奇数行とで２副画素分交互にずれて配置された例を示している。
【０２３０】
また、図５３に示す第６変形例では、図２３に示す第１変形例、図３６に示す第３変形例、及び図３９に示す第４変形例と同様に、各副画素行の１行毎に、交互に異なる副画素列に属する副画素４９に各信号線ＤＴＬが接続された例を示している。具体的に、Ｎ−１行目（Ｎは、２以上の整数）及びＮ＋１行目の副画素行では、各信号線ＤＴＬの図中右側の副画素列に属する副画素４９に各信号線ＤＴＬが接続され、Ｎ行目及びＮ＋２行目の副画素行では、各信号線ＤＴＬの図中左側の副画素列に属する副画素４９に各信号線ＤＴＬが接続された例を示している。
【０２３１】
また、図５３に示す第６変形例では、互いに極性が異なる第１ソース信号Ｓ１又は第２ソース信号Ｓ２が供給される１対の信号線ＤＴＬ、互いに極性が異なる第３ソース信号Ｓ３又は第４ソース信号Ｓ４が供給される１対の信号線ＤＴＬ、互いに極性が異なる第５ソース信号Ｓ５又は第６ソース信号Ｓ６が供給される１対の信号線ＤＴＬ、及び、互いに極性が異なる第７ソース信号Ｓ７又は第８ソース信号Ｓ８が供給される１対の信号線ＤＴＬが、第１セレクタ信号ＳＥＬ１、第２セレクタ信号ＳＥＬ２、第３セレクタ信号ＳＥＬ３によってそれぞれ１対ずつ選択される。なお、共通電極ＣＯＭＬの電位に対する第１ソース信号Ｓ１の電位−Ｖの大きさと、共通電極ＣＯＭＬの電位に対する第２ソース信号Ｓ２の電位＋Ｖの大きさとは略等しく、共通電極ＣＯＭＬの電位に対する第３ソース信号Ｓ３の電位−Ｖの大きさと、共通電極ＣＯＭＬの電位に対する第４ソース信号Ｓ４の電位＋Ｖの大きさとは略等しく、共通電極ＣＯＭＬの電位に対する第５ソース信号Ｓ５の電位−Ｖの大きさと、共通電極ＣＯＭＬの電位に対する第６ソース信号Ｓ６の電位＋Ｖの大きさとは略等しく、共通電極ＣＯＭＬの電位に対する第７ソース信号Ｓ７の電位−Ｖの大きさと、共通電極ＣＯＭＬの電位に対する第８ソース信号Ｓ８の電位＋Ｖの大きさとは略等しい。また、ここでは、図４に示す単色のウインドウ画像３０Ｗを表示するため、共通電極ＣＯＭＬの電位に対する第１ソース信号Ｓ１の電位−Ｖの大きさと、共通電極ＣＯＭＬの電位に対する第２ソース信号Ｓ２の電位＋Ｖの大きさと、共通電極ＣＯＭＬの電位に対する第３ソース信号Ｓ３の電位−Ｖの大きさと、共通電極ＣＯＭＬの電位に対する第４ソース信号Ｓ４の電位＋Ｖの大きさと、共通電極ＣＯＭＬの電位に対する第５ソース信号Ｓ５の電位−Ｖの大きさと、共通電極ＣＯＭＬの電位に対する第６ソース信号Ｓ６の電位＋Ｖの大きさと、共通電極ＣＯＭＬの電位に対する第７ソース信号Ｓ７の電位−Ｖの大きさと、共通電極ＣＯＭＬの電位に対する第８ソース信号Ｓ８の電位＋Ｖの大きさと、は略等しい。
【０２３２】
具体的に、信号線ＤＴＬ１には、第１セレクタ信号ＳＥＬ１によって選択されたマイナス（−）極性の第１ソース信号Ｓ１が供給される。
【０２３３】
また、信号線ＤＴＬ２には、第２セレクタ信号ＳＥＬ２によって選択されたマイナス（−）極性の第１ソース信号Ｓ１が供給される。
【０２３４】
また、信号線ＤＴＬ３には、第１セレクタ信号ＳＥＬ１によって選択されたプラス（＋）極性の第２ソース信号Ｓ２が供給される。
【０２３５】
また、信号線ＤＴＬ４には、第３セレクタ信号ＳＥＬ３によって選択されたマイナス（−）極性の第１ソース信号Ｓ１が供給される。
【０２３６】
また、信号線ＤＴＬ５には、第２セレクタ信号ＳＥＬ２によって選択されたプラス（＋）極性の第２ソース信号Ｓ２が供給される。
【０２３７】
また、信号線ＤＴＬ６には、第３セレクタ信号ＳＥＬ３によって選択されたプラス（＋）極性の第２ソース信号Ｓ２が供給される。
【０２３８】
また、信号線ＤＴＬ７には、第１セレクタ信号ＳＥＬ１によって選択されたマイナス（−）極性の第３ソース信号Ｓ３が供給される。
【０２３９】
また、信号線ＤＴＬ８には、第１セレクタ信号ＳＥＬ１によって選択されたプラス（＋）極性の第４ソース信号Ｓ４が供給される。
【０２４０】
また、信号線ＤＴＬ９には、第２セレクタ信号ＳＥＬ２によって選択されたマイナス（−）極性の第３ソース信号Ｓ３が供給される。
【０２４１】
また、信号線ＤＴＬ１０には、第３セレクタ信号ＳＥＬ３によって選択されたマイナス（−）極性の第３ソース信号Ｓ３が供給される。
【０２４２】
また、信号線ＤＴＬ１１には、第２セレクタ信号ＳＥＬ２によって選択されたプラス（＋）極性の第４ソース信号Ｓ４が供給される。
【０２４３】
また、信号線ＤＴＬ１２には、第３セレクタ信号ＳＥＬ３によって選択されたプラス（＋）極性の第４ソース信号Ｓ４が供給される。
【０２４４】
また、信号線ＤＴＬ１３には、第１セレクタ信号ＳＥＬ１によって選択されたプラス（＋）極性の第６ソース信号Ｓ６が供給される。
【０２４５】
また、信号線ＤＴＬ１４には、第２セレクタ信号ＳＥＬ２によって選択されたプラス（＋）極性の第６ソース信号Ｓ６が供給される。
【０２４６】
また、信号線ＤＴＬ１５には、第１セレクタ信号ＳＥＬ１によって選択されたマイナス（−）極性の第５ソース信号Ｓ５が供給される。
【０２４７】
また、信号線ＤＴＬ１６には、第３セレクタ信号ＳＥＬ３によって選択されたプラス（＋）極性の第６ソース信号Ｓ６が供給される。
【０２４８】
また、信号線ＤＴＬ１７には、第２セレクタ信号ＳＥＬ２によって選択されたマイナス（−）極性の第５ソース信号Ｓ５が供給される。
【０２４９】
また、信号線ＤＴＬ１８には、第３セレクタ信号ＳＥＬ３によって選択されたマイナス（−）極性の第５ソース信号Ｓ５が供給される。
【０２５０】
また、信号線ＤＴＬ１９には、第１セレクタ信号ＳＥＬ１によって選択されたプラス（＋）極性の第８ソース信号Ｓ８が供給される。
【０２５１】
また、信号線ＤＴＬ２０には、第１セレクタ信号ＳＥＬ１によって選択されたマイナス（−）極性の第７ソース信号Ｓ７が供給される。
【０２５２】
また、信号線ＤＴＬ２１には、第２セレクタ信号ＳＥＬ２によって選択されたプラス（＋）極性の第８ソース信号Ｓ８が供給される。
【０２５３】
また、信号線ＤＴＬ２２には、第３セレクタ信号ＳＥＬ３によって選択されたプラス（＋）極性の第８ソース信号Ｓ８が供給される。
【０２５４】
また、信号線ＤＴＬ２３には、第２セレクタ信号ＳＥＬ２によって選択されたマイナス（−）極性の第７ソース信号Ｓ７が供給される。
【０２５５】
また、信号線ＤＴＬ２４には、第３セレクタ信号ＳＥＬ３によって選択されたマイナス（−）極性の第７ソース信号Ｓ７が供給される。
【０２５６】
図５４は、図５３に示す第６変形例において、図４に示すウインドウ表示が第１原色（赤）である場合のＮ−１行及びＮ行の状態を示す図である。図５５は、図５３に示す第６変形例において、図４に示すウインドウ表示が第１原色（赤）である場合の各信号線の電位変動の一覧を示す図である。図５６は、図５３に示す第６変形例において、図４に示すウインドウ表示が第２原色（緑）である場合のＮ−１行及びＮ行の状態を示す図である。図５７は、図５３に示す第６変形例において、図４に示すウインドウ表示が第２原色（緑）である場合の各信号線の電位変動の一覧を示す図である。図５８は、図５３に示す第６変形例において、図４に示すウインドウ表示が第３原色（青）である場合のＮ−１行及びＮ行の状態を示す図である。図５９は、図５３に示す第６変形例において、図４に示すウインドウ表示が第３原色（青）である場合の各信号線の電位変動の一覧を示す図である。
【０２５７】
図５４から図５９に示すように、図５３に示す第６変形例では、各副画素列を順次選択する際、第１セレクタ信号ＳＥＬ１によって選択される信号線ＤＴＬ１の電位変動と信号線ＤＴＬ３の電位変動と信号線ＤＴＬ７の電位変動と信号線ＤＴＬ８の電位変動と信号線ＤＴＬ１３の電位変動と信号線ＤＴＬ１５の電位変動と信号線ＤＴＬ１９の電位変動と信号線ＤＴＬ２０の電位変動との総和が略ゼロ（≒０）となる。また、第２セレクタ信号ＳＥＬ２によって選択される信号線ＤＴＬ２の電位変動と信号線ＤＴＬ５の電位変動と信号線ＤＴＬ９の電位変動と信号線ＤＴＬ１１の電位変動と信号線ＤＴＬ１４の電位変動と信号線ＤＴＬ１７の電位変動と信号線ＤＴＬ２１の電位変動と信号線ＤＴＬ２３の電位変動との総和が略ゼロ（≒０）となる。また、第３セレクタ信号ＳＥＬ３によって選択される信号線ＤＴＬ４の電位変動と信号線ＤＴＬ６の電位変動と信号線ＤＴＬ１０の電位変動と信号線ＤＴＬ１２の電位変動と信号線ＤＴＬ１６の電位変動と信号線ＤＴＬ１８の電位変動と信号線ＤＴＬ２２の電位変動と信号線ＤＴＬ２４の電位変動との総和が略ゼロ（≒０）となる。
【０２５８】
このように、図５３に示す第６変形例においても、各副画素列を順次選択する際に、各セレクタ信号毎に選択される各信号線ＤＴＬの電位変動の総和が略ゼロ（≒０）となり、クロストークによる画質劣化を低減することができる。
【０２５９】
（第７変形例）
図６０は、実施形態に係る表示装置における画素配列及び信号出力回路の内部構成の第７変形例を示す模式図である。図６０に示す第７変形例では、図３９に示す第４変形例、図４６に示す第５変形例、及び図５３に示す第６変形例と同様に、第１原色（例えば、赤色）を表示する第１副画素、第２原色（例えば、緑色）を表示する第２副画素、第３原色（例えば、青色）を表示する第３副画素、第４の色（具体的には白色）を表示する第４副画素を有する構成例を示している。なお、図６０に示す例においても、信号出力回路４１、走査回路４２、画像表示パネル３０の枠組みを省略して記載している。
【０２６０】
図６０に示す第７変形例では、図５３に示す第６変形例と同様に、第１副画素（赤）、第２副画素（緑）、第３副画素（青）、第４副画素（白）の順で並ぶ副画素行が偶数行と奇数行とで２副画素分交互にずれて配置された例を示している。
【０２６１】
また、図６０に示す第７変形例では、図７に示す例、図２８に示す第２変形例、及び図４６に示す第５変形例と同様に、各副画素行の２行毎に、交互に異なる副画素列に属する副画素４９に各信号線ＤＴＬが接続された例を示している。具体的に、Ｎ−１行目（Ｎは、２以上の整数）及びＮ行目の副画素行では、各信号線ＤＴＬの図中左側の副画素列に属する副画素４９に各信号線ＤＴＬが接続され、Ｎ＋１行目及びＮ＋２行目の副画素行では、各信号線ＤＴＬの図中右側の副画素列に属する副画素４９に各信号線ＤＴＬが接続された例を示している。
【０２６２】
また、図６０に示す第７変形例では、互いに極性が異なる第１ソース信号Ｓ１又は第２ソース信号Ｓ２が供給される１対の信号線ＤＴＬ、互いに極性が異なる第３ソース信号Ｓ３又は第４ソース信号Ｓ４が供給される１対の信号線ＤＴＬ、互いに極性が異なる第５ソース信号Ｓ５又は第６ソース信号Ｓ６が供給される１対の信号線ＤＴＬ、及び、互いに極性が異なる第７ソース信号Ｓ７又は第８ソース信号Ｓ８が供給される１対の信号線ＤＴＬが、第１セレクタ信号ＳＥＬ１、第２セレクタ信号ＳＥＬ２、第３セレクタ信号ＳＥＬ３によってそれぞれ１対ずつ選択される。なお、共通電極ＣＯＭＬの電位に対する第１ソース信号Ｓ１の電位＋Ｖの大きさと、共通電極ＣＯＭＬの電位に対する第２ソース信号Ｓ２の電位−Ｖの大きさとは略等しく、共通電極ＣＯＭＬの電位に対する第３ソース信号Ｓ３の電位＋Ｖの大きさと、共通電極ＣＯＭＬの電位に対する第４ソース信号Ｓ４の電位−Ｖの大きさとは略等しく、共通電極ＣＯＭＬの電位に対する第５ソース信号Ｓ５の電位＋Ｖの大きさと、共通電極ＣＯＭＬの電位に対する第６ソース信号Ｓ６の電位−Ｖの大きさとは略等しく、共通電極ＣＯＭＬの電位に対する第７ソース信号Ｓ７の電位＋Ｖの大きさと、共通電極ＣＯＭＬの電位に対する第８ソース信号Ｓ８の電位−Ｖの大きさとは略等しい。また、ここでは、図４に示す単色のウインドウ画像３０Ｗを表示するため、共通電極ＣＯＭＬの電位に対する第１ソース信号Ｓ１の電位＋Ｖの大きさと、共通電極ＣＯＭＬの電位に対する第２ソース信号Ｓ２の電位−Ｖの大きさと、共通電極ＣＯＭＬの電位に対する第３ソース信号Ｓ３の電位＋Ｖの大きさと、共通電極ＣＯＭＬの電位に対する第４ソース信号Ｓ４の電位−Ｖの大きさと、共通電極ＣＯＭＬの電位に対する第５ソース信号Ｓ５の電位＋Ｖの大きさと、共通電極ＣＯＭＬの電位に対する第６ソース信号Ｓ６の電位−Ｖの大きさと、共通電極ＣＯＭＬの電位に対する第７ソース信号Ｓ７の電位＋Ｖの大きさと、共通電極ＣＯＭＬの電位に対する第８ソース信号Ｓ８の電位−Ｖの大きさと、は略等しい。
【０２６３】
具体的に、信号線ＤＴＬ１には、第１セレクタ信号ＳＥＬ１によって選択されたプラス（＋）極性の第１ソース信号Ｓ１が供給される。
【０２６４】
また、信号線ＤＴＬ２には、第１セレクタ信号ＳＥＬ１によって選択されたマイナス（−）極性の第２ソース信号Ｓ２が供給される。
【０２６５】
また、信号線ＤＴＬ３には、第２セレクタ信号ＳＥＬ２によって選択されたマイナス（−）極性の第２ソース信号Ｓ２が供給される。
【０２６６】
また、信号線ＤＴＬ４には、第２セレクタ信号ＳＥＬ２によって選択されたプラス（＋）極性の第１ソース信号Ｓ１が供給される。
【０２６７】
また、信号線ＤＴＬ５には、第３セレクタ信号ＳＥＬ３によって選択されたマイナス（−）極性の第２ソース信号Ｓ２が供給される。
【０２６８】
また、信号線ＤＴＬ６には、第３セレクタ信号ＳＥＬ３によって選択されたプラス（＋）極性の第１ソース信号Ｓ１が供給される。
【０２６９】
また、信号線ＤＴＬ７には、第１セレクタ信号ＳＥＬ１によって選択されたプラス（＋）極性の第３ソース信号Ｓ３が供給される。
【０２７０】
また、信号線ＤＴＬ８には、第１セレクタ信号ＳＥＬ１によって選択されたマイナス（−）極性の第４ソース信号Ｓ４が供給される。
【０２７１】
また、信号線ＤＴＬ９には、第２セレクタ信号ＳＥＬ２によって選択されたプラス（＋）極性の第３ソース信号Ｓ３が供給される。
【０２７２】
また、信号線ＤＴＬ１０には、第２セレクタ信号ＳＥＬ２によって選択されたマイナス（−）極性の第４ソース信号Ｓ４が供給される。
【０２７３】
また、信号線ＤＴＬ１１には、第３セレクタ信号ＳＥＬ３によって選択されたマイナス（−）極性の第４ソース信号Ｓ４が供給される。
【０２７４】
また、信号線ＤＴＬ１２には、第３セレクタ信号ＳＥＬ３によって選択されたプラス（＋）極性の第３ソース信号Ｓ３が供給される。
【０２７５】
また、信号線ＤＴＬ１３には、第１セレクタ信号ＳＥＬ１によって選択されたマイナス（−）極性の第６ソース信号Ｓ６が供給される。
【０２７６】
また、信号線ＤＴＬ１４には、第１セレクタ信号ＳＥＬ１によって選択されたプラス（＋）極性の第５ソース信号Ｓ５が供給される。
【０２７７】
また、信号線ＤＴＬ１５には、第２セレクタ信号ＳＥＬ２によって選択されたプラス（＋）極性の第５ソース信号Ｓ５が供給される。
【０２７８】
また、信号線ＤＴＬ１６には、第２セレクタ信号ＳＥＬ２によって選択されたプラス（＋）極性の第５ソース信号Ｓ５が供給される。
【０２７９】
また、信号線ＤＴＬ１７には、第３セレクタ信号ＳＥＬ３によって選択されたプラス（＋）極性の第５ソース信号Ｓ５が供給される。
【０２８０】
また、信号線ＤＴＬ１８には、第３セレクタ信号ＳＥＬ３によって選択されたマイナス（−）極性の第６ソース信号Ｓ６が供給される。
【０２８１】
また、信号線ＤＴＬ１９には、第１セレクタ信号ＳＥＬ１によって選択されたマイナス（−）極性の第８ソース信号Ｓ８が供給される。
【０２８２】
また、信号線ＤＴＬ２０には、第１セレクタ信号ＳＥＬ１によって選択されたプラス（＋）極性の第７ソース信号Ｓ７が供給される。
【０２８３】
また、信号線ＤＴＬ２１には、第２セレクタ信号ＳＥＬ２によって選択されたマイナス（−）極性の第８ソース信号Ｓ８が供給される。
【０２８４】
また、信号線ＤＴＬ２２には、第２セレクタ信号ＳＥＬ２によって選択されたプラス（＋）極性の第７ソース信号Ｓ７が供給される。
【０２８５】
また、信号線ＤＴＬ２３には、第３セレクタ信号ＳＥＬ３によって選択されたプラス（＋）極性の第７ソース信号Ｓ７が供給される。
【０２８６】
また、信号線ＤＴＬ２４には、第３セレクタ信号ＳＥＬ３によって選択されたマイナス（−）極性の第８ソース信号Ｓ８が供給される。
【０２８７】
図６１は、図６０に示す第７変形例において、図４に示すウインドウ表示が第１原色（赤）である場合のＮ−１行及びＮ行の状態を示す図である。図６２は、図６０に示す第７変形例において、図４に示すウインドウ表示が第１原色（赤）である場合のＮ行及びＮ＋１行の状態を示す図である。図６３は、図６０に示す第７変形例において、図４に示すウインドウ表示が第１原色（赤）である場合の各信号線の電位変動の一覧を示す図である。図６４は、図６０に示す第７変形例において、図４に示すウインドウ表示が第２原色（緑）である場合のＮ−１行及びＮ行の状態を示す図である。図６５は、図６０に示す第７変形例において、図４に示すウインドウ表示が第２原色（緑）である場合のＮ行及びＮ＋１行の状態を示す図である。図６６は、図６０に示す第７変形例において、図４に示すウインドウ表示が第２原色（緑）である場合の各信号線の電位変動の一覧を示す図である。図６７は、図６０に示す第７変形例において、図４に示すウインドウ表示が第３原色（青）である場合のＮ−１行及びＮ行の状態を示す図である。図６８は、図６０に示す第７変形例において、図４に示すウインドウ表示が第３原色（青）である場合のＮ行及びＮ＋１行の状態を示す図である。図６９は、図６０に示す第７変形例において、図４に示すウインドウ表示が第３原色（青）である場合の各信号線の電位変動の一覧を示す図である。
【０２８８】
図６１から図６９に示すように、図６０に示す第７変形例では、各副画素列を順次選択する際、第１セレクタ信号ＳＥＬ１によって選択される信号線ＤＴＬ１の電位変動と信号線ＤＴＬ２の電位変動と信号線ＤＴＬ７の電位変動と信号線ＤＴＬ８の電位変動と信号線ＤＴＬ１３の電位変動と信号線ＤＴＬ１４の電位変動と信号線ＤＴＬ１９の電位変動と信号線ＤＴＬ２０の電位変動との総和が略ゼロ（≒０）となる。また、第２セレクタ信号ＳＥＬ２によって選択される信号線ＤＴＬ３の電位変動と信号線ＤＴＬ４の電位変動と信号線ＤＴＬ９の電位変動と信号線ＤＴＬ１０の電位変動と信号線ＤＴＬ１５の電位変動と信号線ＤＴＬ１６の電位変動と信号線ＤＴＬ２１の電位変動と信号線ＤＴＬ２２の電位変動との総和が略ゼロ（≒０）となる。また、第３セレクタ信号ＳＥＬ３によって選択される信号線ＤＴＬ５の電位変動と信号線ＤＴＬ６の電位変動と信号線ＤＴＬ１１の電位変動と信号線ＤＴＬ１２の電位変動と信号線ＤＴＬ１７の電位変動と信号線ＤＴＬ１８の電位変動と信号線ＤＴＬ２３の電位変動と信号線ＤＴＬ２４の電位変動との総和が略ゼロ（≒０）となる。
【０２８９】
このように、図６０に示す第７変形例においても、各副画素列を順次選択する際に、各セレクタ信号毎に選択される各信号線ＤＴＬの電位変動の総和が略ゼロ（≒０）となり、クロストークによる画質劣化を低減することができる。
【０２９０】
なお、副画素で表示される色、画素配列、セレクタ信号の数については上記に限定されるものではなく、それぞれ異なる色を表示する複数の副画素４９がＸ方向（第１方向）に周期的に配列された副画素行がＹ方向（第２方向）に規則的に並び、副画素行が走査線ＤＴＬによって選択されている期間内において、互いに極性が異なる２の信号が供給される１対の信号線ＤＴＬが、ｍ（ｍは、２以上の整数）のセレクタ信号によってそれぞれｎ（ｎは、１以上の整数）対ずつ選択され、走査線ＳＣＬによって副画素行の各行が順次選択される際に、セレクタ信号毎に選択されるｎ対の信号線ＤＴＬの電位変動の総和が略ゼロ（≒０）となるような構成であれば良い。
【０２９１】
また、上記説明では、画像表示パネル３０の表示領域３１の中央部に、単色のウインドウ画像３０Ｗが表示されている場合を例示したが、本実施形態の効果はこの場合に限るものではなく、例えば、通常の動画あるいは静止画を表示する場合でも、本実施形態による効果を得ることができる。すなわち、通常の動画あるいは静止画を表示する場合でも、各セレクタ信号毎に選択される各信号線の電位変動の総和が略ゼロ（≒０）となり、クロストークによる画質劣化を低減することが可能である。
【０２９２】
以上説明したように、実施形態に係る表示装置１０は、それぞれ異なる色を表示する複数の副画素４９がＸ方向（第１方向）に周期的に配列された副画素行がＹ方向（第２方向）に規則的に並び、副画素４９がＹ方向（第２方向）に連なる副画素列に並行して設けられた信号線ＤＴＬ、及び副画素行の各行を順次選択する走査線ＳＣＬ、を備えた画像表示パネル３０を具備し、副画素行が走査線ＳＣＬによって選択されている期間内において、互いに極性が異なる２の信号が供給される１対の信号線ＤＴＬが、ｍ（ｍは、２以上の整数）のセレクタ信号（第１セレクタ信号ＳＥＬ１、第２セレクタ信号ＳＥＬ２、第３セレクタ信号ＳＥＬ３）によってそれぞれｎ（ｎは、１以上の整数）対ずつ選択され、走査線ＳＣＬによって副画素行の各行が順次選択される際に、セレクタ信号（第１セレクタ信号ＳＥＬ１、第２セレクタ信号ＳＥＬ２、第３セレクタ信号ＳＥＬ３）毎に選択されるｎ対の信号線ＤＴＬの電位変動の総和が略ゼロとなるように構成されている。
【０２９３】
具体的には、第１副画素（赤）、第２副画素（緑）、第３副画素（青）の順で並ぶ副画素行が１行毎にＸ方向（第１方向）に１副画素分ずれて配置され、各信号線ＤＴＬは、副画素行の２行毎に、交互に異なる副画素列に属する各副画素４９に接続されている。そして、第１セレクタ信号ＳＥＬ１、第２セレクタ信号ＳＥＬ２、第３セレクタ信号ＳＥＬ３によって、互いに極性が異なる第１ソース信号Ｓ１又は第２ソース信号Ｓ２の何れか１つがそれぞれ供給される１対の信号線が選択される。
【０２９４】
又は、第１副画素（赤）、第２副画素（緑）、第３副画素（青）の順で並ぶ副画素行が偶数行と奇数行とでＸ方向（第１方向）に１副画素分交互にずれて配置され、各信号線ＤＴＬは、副画素行の１行毎に、交互に異なる副画素列に属する各副画素４９に接続されている。そして、第１セレクタ信号ＳＥＬ１、第２セレクタ信号ＳＥＬ２、第３セレクタ信号ＳＥＬ３によって、互いに極性が異なる第１ソース信号Ｓ１又は第２ソース信号Ｓ２の何れか１つがそれぞれ供給される１対の信号線が選択される。
【０２９５】
又は、第１副画素（赤）、第２副画素（緑）、第３副画素（青）の順で並ぶ副画素行が１行毎にＸ方向（第１方向）に１副画素分ずれて配置され、各信号線ＤＴＬは、副画素行の２行毎に、交互に異なる副画素列に属する各副画素４９に接続されている。そして、第１セレクタ信号ＳＥＬ１、第２セレクタ信号ＳＥＬ２、第３セレクタ信号ＳＥＬ３によって、互いに極性が異なる第１ソース信号Ｓ１又は第２ソース信号Ｓ２の何れか１つがそれぞれ供給される１対の信号線が選択され、互いに極性が異なる第３ソース信号Ｓ３又は第４ソース信号Ｓ４の何れか１つがそれぞれ供給される１対の信号線が選択される。
【０２９６】
又は、第１副画素（赤）、第２副画素（緑）、第３副画素（青）の順で並ぶ副画素行が偶数行と奇数行とでＸ方向（第１方向）に１副画素分交互にずれて配置され、各信号線ＤＴＬは、副画素行の１行毎に、交互に異なる副画素列に属する各副画素４９に接続されている。そして、第１セレクタ信号ＳＥＬ１、第２セレクタ信号ＳＥＬ２、第３セレクタ信号ＳＥＬ３によって、互いに極性が異なる第１ソース信号Ｓ１又は第２ソース信号Ｓ２の何れか１つがそれぞれ供給される１対の信号線が選択され、互いに極性が異なる第３ソース信号Ｓ３又は第４ソース信号Ｓ４の何れか１つがそれぞれ供給される１対の信号線が選択され、互いに極性が異なる第５ソース信号Ｓ５又は第６ソース信号Ｓ６の何れか１つがそれぞれ供給される１対の信号線が選択される。
【０２９７】
又は、第１副画素（赤）、第２副画素（緑）、第３副画素（青）、第１副画素（赤）、第２副画素（緑）、第４副画素（白）の順で並ぶ副画素行が偶数行と奇数行とでＸ方向（第１方向）に３副画素分交互にずれて配置された画素配列において、各信号線ＤＴＬは、副画素行の１行毎に、交互に異なる副画素列に属する各副画素４９が接続されている。そして、第１セレクタ信号ＳＥＬ１、第２セレクタ信号ＳＥＬ２、第３セレクタ信号ＳＥＬ３によって、互いに極性が異なる第１ソース信号Ｓ１又は第２ソース信号Ｓ２の何れか１つがそれぞれ供給される１対の信号線が選択され、互いに極性が異なる第３ソース信号Ｓ３又は第４ソース信号Ｓ４の何れか１つがそれぞれ供給される１対の信号線が選択される。
【０２９８】
又は、第１副画素（赤）、第２副画素（緑）、第３副画素（青）、第１副画素（赤）、第２副画素（緑）、第４副画素（白）の順で並ぶ副画素行が偶数行と奇数行とでＸ方向（第１方向）に３副画素分交互にずれて配置された画素配列において、各信号線ＤＴＬは、副画素行の２行毎に、交互に異なる副画素列に属する各副画素４９が接続されている。そして、第１セレクタ信号ＳＥＬ１、第２セレクタ信号ＳＥＬ２、第３セレクタ信号ＳＥＬ３によって、互いに極性が異なる第１ソース信号Ｓ１又は第２ソース信号Ｓ２の何れか１つがそれぞれ供給される１対の信号線が選択され、互いに極性が異なる第３ソース信号Ｓ３又は第４ソース信号Ｓ４の何れか１つがそれぞれ供給される１対の信号線が選択される。
【０２９９】
又は、第１副画素（赤）、第２副画素（緑）、第３副画素（青）、第４副画素（白）の順で並ぶ副画素行が偶数行と奇数行とでＸ方向（第１方向）に２副画素分交互にずれて配置された画素配列において、各信号線ＤＴＬは、副画素行の１行毎に、交互に異なる副画素列に属する各副画素４９が接続されている。そして、第１セレクタ信号ＳＥＬ１、第２セレクタ信号ＳＥＬ２、第３セレクタ信号ＳＥＬ３によって、互いに極性が異なる第１ソース信号Ｓ１又は第２ソース信号Ｓ２の何れか１つがそれぞれ供給される１対の信号線が選択され、互いに極性が異なる第３ソース信号Ｓ３又は第４ソース信号Ｓ４の何れか１つがそれぞれ供給される１対の信号線が選択され、互いに極性が異なる第５ソース信号Ｓ５又は第６ソース信号Ｓ６の何れか１つがそれぞれ供給される１対の信号線が選択され、互いに極性が異なる第７ソース信号Ｓ７又は第８ソース信号Ｓ８の何れか１つがそれぞれ供給される１対の信号線が選択される。
【０３００】
又は、第１副画素（赤）、第２副画素（緑）、第３副画素（青）、第４副画素（白）の順で並ぶ副画素行が偶数行と奇数行とでＸ方向（第１方向）に２副画素分交互にずれて配置された画素配列において、各信号線ＤＴＬは、副画素行の２行毎に、交互に異なる副画素列に属する各副画素４９が接続されている。そして、第１セレクタ信号ＳＥＬ１、第２セレクタ信号ＳＥＬ２、第３セレクタ信号ＳＥＬ３によって、互いに極性が異なる第１ソース信号Ｓ１又は第２ソース信号Ｓ２の何れか１つがそれぞれ供給される１対の信号線が選択され、互いに極性が異なる第３ソース信号Ｓ３又は第４ソース信号Ｓ４の何れか１つがそれぞれ供給される１対の信号線が選択され、互いに極性が異なる第５ソース信号Ｓ５又は第６ソース信号Ｓ６の何れか１つがそれぞれ供給される１対の信号線が選択され、互いに極性が異なる第７ソース信号Ｓ７又は第８ソース信号Ｓ８の何れか１つがそれぞれ供給される１対の信号線が選択される。
【０３０１】
上述した構成により、各副画素列を順次選択する際に、各セレクタ信号毎に選択される各信号線の電位変動の総和が略ゼロ（≒０）となり、クロストークによる画質劣化を低減することができる。
【０３０２】
上述した実施形態は、各構成要素を適宜組み合わせることが可能である。また、本実施形態において述べた態様によりもたらされる他の作用効果について本明細書記載から明らかなもの、又は当業者において適宜想到し得るものについては、当然に本発明によりもたらされるものと解される。
【符号の説明】
【０３０３】
１０  表示装置
１１  制御装置
１２  画像出力部
２０  信号処理部
３０  画像表示パネル
３０Ｗ  ウインドウ画像
３０Ｃ  領域
３１  表示領域
４０  画像表示パネル駆動回路
４１  信号出力回路
４２  走査回路
４８  画素
４９  副画素
４９Ｒ  第１副画素
４９Ｇ  第２副画素
４９Ｂ  第３副画素
４９Ｗ  第４副画素
５０  面状光源装置
６０  面状光源装置制御回路
【図１】
2018189778.tif 000003
【図２】
2018189778.tif 000004
【図３】
2018189778.tif 000005
【図４】
2018189778.tif 000006
【図５】
2018189778.tif 000007
【図６】
2018189778.tif 000008
【図７】
2018189778.tif 000009
【図８】
2018189778.tif 000010
【図９】
2018189778.tif 000011
【図１０】
2018189778.tif 000012
【図１１】
2018189778.tif 000013
【図１２】
2018189778.tif 000014
【図１３】
2018189778.tif 000015
【図１４】
2018189778.tif 000016
【図１５】
2018189778.tif 000017
【図１６】
2018189778.tif 000018
【図１７】
2018189778.tif 000019
【図１８】
2018189778.tif 000020
【図１９】
2018189778.tif 000021
【図２０】
2018189778.tif 000022
【図２１】
2018189778.tif 000023
【図２２】
2018189778.tif 000024
【図２３】
2018189778.tif 000025
【図２４】
2018189778.tif 000026
【図２５】
2018189778.tif 000027
【図２６】
2018189778.tif 000028
【図２７】
2018189778.tif 000029
【図２８】
2018189778.tif 000030
【図２９】
2018189778.tif 000031
【図３０】
2018189778.tif 000032
【図３１】
2018189778.tif 000033
【図３２】
2018189778.tif 000034
【図３３】
2018189778.tif 000035
【図３４】
2018189778.tif 000036
【図３５】
2018189778.tif 000037
【図３６】
2018189778.tif 000038
【図３７】
2018189778.tif 000039
【図３８】
2018189778.tif 000040
【図３９】
2018189778.tif 000041
【図４０】
2018189778.tif 000042
【図４１】
2018189778.tif 000043
【図４２】
2018189778.tif 000044
【図４３】
2018189778.tif 000045
【図４４】
2018189778.tif 000046
【図４５】
2018189778.tif 000047
【図４６】
2018189778.tif 000048
【図４７】
2018189778.tif 000049
【図４８】
2018189778.tif 000050
【図４９】
2018189778.tif 000051
【図５０】
2018189778.tif 000052
【図５１】
2018189778.tif 000053
【図５２】
2018189778.tif 000054
【図５３】
2018189778.tif 000055
【図５４】
2018189778.tif 000056
【図５５】
2018189778.tif 000057
【図５６】
2018189778.tif 000058
【図５７】
2018189778.tif 000059
【図５８】
2018189778.tif 000060
【図５９】
2018189778.tif 000061
【図６０】
2018189778.tif 000062
【図６１】
2018189778.tif 000063
【図６２】
2018189778.tif 000064
【図６３】
2018189778.tif 000065
【図６４】
2018189778.tif 000066
【図６５】
2018189778.tif 000067
【図６６】
2018189778.tif 000068
【図６７】
2018189778.tif 000069
【図６８】
2018189778.tif 000070
【図６９】
2018189778.tif 000071